(57)【要約】  端末の受信性能を改善するための下りリンク送信方法並びに対応する基地局及び端末が提供される。いくつかの実現可能な実現方式において、基地局は、サブフレームn+kにおいて、下りリンク制御情報を端末に送出し、下りリンク制御情報は、指示情報及びHARQプロセス識別情報を含み、指示情報は、サブフレームnにおいて基地局により端末に送出されたデータ内の少なくとも１つのOFDMシンボルの位置を示すために使用され、下りリンク制御情報内のHARQプロセス識別情報は、サブフレームnにおけるHARQプロセス識別情報と同じであり、nは自然数であり、基地局は、サブフレームn+kにおいて、端末に送出され且つ指示情報により指示されたサブフレームnにおける少なくとも１つのOFDMシンボル上にあるデータを少なくとも送信する。
2019502321.tif 000002
【特許請求の範囲】
【請求項１】
下りリンク送信方法であって、
基地局により、サブフレームn+kにおいて、下りリンク制御情報を端末に送出するステップであり、前記下りリンク制御情報は、指示情報及びハイブリッド自動再送要求HARQプロセス識別情報を含み、前記指示情報は、サブフレームnにおいて前記基地局により前記端末に送出されたデータ内の少なくとも１つの直交周波数分割多重OFDMシンボルの位置を示すために使用され、前記下りリンク制御情報内の前記HARQプロセス識別情報は、前記サブフレームnにおけるHARQプロセス識別情報と同じであり、n及びkの双方は自然数であるステップと、
前記基地局により、前記サブフレームn+kにおいて、前記端末に送出され且つ前記少なくとも１つのOFDMシンボル上にあるデータを少なくとも送信するステップであり、前記少なくとも１つのOFDMシンボルは、前記サブフレームnにあり且つ前記指示情報により指示されるステップと、
を含む方法。
【請求項２】
前記基地局により、前記サブフレームn+kにおいて、前記端末に送出され且つ前記少なくとも１つのOFDMシンボル上にあるデータを少なくとも送信するステップであり、前記少なくとも１つのOFDMシンボルは、前記サブフレームnにあり且つ前記指示情報により指示されるステップは、
前記基地局により、前記サブフレームn+kにおいて、前記サブフレームnにおける全データを前記端末に再送するステップを含む、請求項１に記載の方法。
【請求項３】
前記基地局により、前記サブフレームn+kにおいて、前記端末に送出され且つ前記少なくとも１つのOFDMシンボル上にあるデータを少なくとも送信するステップであり、前記少なくとも１つのOFDMシンボルは、前記サブフレームnにあり且つ前記指示情報により指示されるステップは、
前記サブフレームn+kにおいて、前記基地局により、前記端末に送出され且つ前記指示情報により指示された前記サブフレームnにおける前記少なくとも１つのOFDMシンボル上にある変調及び符号化されたデータを、少なくとも１つのリソースブロックに追加し、前記データを前記端末に再送するステップを含む、請求項１に記載の方法。
【請求項４】
前記少なくとも１つのリソースブロックのアイドルのリソースエレメントを0で埋めるステップを更に含む、請求項３に記載の方法。
【請求項５】
前記基地局により、前記サブフレームn+kにおいて、前記端末に送出され且つ前記少なくとも１つのOFDMシンボル上にあるデータを少なくとも送信するステップであり、前記少なくとも１つのOFDMシンボルは、前記サブフレームnにあり且つ前記指示情報により指示されるステップは、
前記サブフレームn+kにおいて、前記基地局により、前記端末に送出され且つ前記指示情報により指示された前記サブフレームnにおける前記少なくとも１つのOFDMシンボル上にある変調及び符号化されたデータを、少なくとも１つのOFDMシンボルに追加し、前記データを前記端末に再送するステップを含む、請求項１に記載の方法。
【請求項６】
前記サブフレームn+kにおける再送に使用される前記OFDMシンボルの位置は、前記指示情報により指示された前記OFDMシンボルの前記位置と同じであるか、或いは
前記サブフレームn+kにおける再送に使用される前記OFDMシンボルの位置は、前記指示情報により指示された前記OFDMシンボルの前記位置と異なり、前記指示情報は、前記サブフレームn+kにおける再送に使用される前記OFDMシンボルの前記位置を示すために更に使用される、請求項５に記載の方法。
【請求項７】
前記指示情報は、ビットマップbitmapフォーマットの情報であり、
前記指示情報内の各ビットは、データを送信するために使用される１つのOFDMシンボルに対応し、対応するOFDMシンボルが指示されているか否かを示すために1又は0が使用されるか、或いは
前記指示情報内の各ビットは、データを送信するために使用されるOFDMシンボルの１つのグループに対応し、OFDMシンボルの対応するグループが指示されているか否かを示すために1又は0が使用され、OFDMシンボルの前記グループは、少なくとも２つの連続するOFDMシンボルを含むか、或いは
前記指示情報内の各ビットは、データを送信するために使用される２つのOFDMシンボルに対応し、２つの対応するOFDMシンボルが指示されているか否かを示すために1又は0が使用され、前記２つのOFDMシンボルは、前記サブフレームnにおける２つのタイムスロット内にあり且つ同じシーケンス番号を有する２つのOFDMシンボルである、請求項１乃至６のうちいずれか１項に記載の方法。
【請求項８】
前記指示情報は、データを送信するために使用される複数の連続するOFDMシンボルの開始位置を含み、前記複数の連続するOFDMシンボルの終了位置又は長さを更に含む、請求項１乃至６のうちいずれか１項に記載の方法。
【請求項９】
基地局により、サブフレームn+kにおいて、下りリンク制御情報を端末に送出する前に、
前記基地局により、前記サブフレームnにおいて前記端末の少なくとも１つのOFDMシンボルを先取りするステップであり、前記指示情報は、前記少なくとも１つの先取りされたOFDMシンボルの位置を示すために具体的に使用されるステップを更に含む、請求項１乃至８のうちいずれか１項に記載の方法。
【請求項１０】
前記基地局は、前記サブフレームn+kにおけるタイミング関係に従って、前記サブフレームn及び前記サブフレームn+kについて前記端末によりフィードバックされたフィードバック情報を受信するステップであり、前記フィードバック情報は、肯定応答ACK又は否定応答NACKであるステップを更に含む、請求項１乃至８のうちいずれか１項に記載の方法。
【請求項１１】
下りリンク送信方法であって、
端末により、サブフレームn+kにおいて基地局により送出された下りリンク制御情報を受信するステップであり、n及びkの双方は自然数であり、前記下りリンク制御情報は、指示情報及びハイブリッド自動再送要求HARQプロセス識別情報を含み、前記指示情報は、サブフレームnにおいて前記基地局により前記端末に送出されたデータ内の少なくとも１つの直交周波数分割多重OFDMシンボルの位置を示すために使用され、前記下りリンク制御情報内の前記HARQプロセス識別情報は、前記サブフレームnにおけるHARQプロセス識別情報と同じであるステップと、
前記端末により、前記端末に送出され且つ前記少なくとも１つのOFDMシンボル上にある、前記サブフレームn+kにおいて前記基地局により送信されたデータを受信するステップであり、前記少なくとも１つのOFDMシンボルは、前記サブフレームnにあり且つ前記指示情報により指示されるステップと、
前記端末により、前記指示情報に従って、前記指示情報により指示された前記少なくとも１つのOFDMシンボル上にあり且つ前記サブフレームnにおいて受信した前記データ内にあるデータを破棄するステップと、
前記端末により、前記サブフレームnにおいて受信した前記データと、前記サブフレームn+kにおいて受信した前記データとに対してジョイント復号化を実行するステップと
を含む方法。
【請求項１２】
前記端末により、前記サブフレームn+kにおけるタイミング関係に従って、前記サブフレームn及び前記サブフレームn+kについてフィードバック情報をフィードバックするステップであり、前記フィードバック情報は、肯定応答ACK又は否定応答NACKであるステップを更に含む、請求項１１に記載の方法。
【請求項１３】
前記指示情報は、前記サブフレームnにおいて前記基地局により先取りされた前記端末の少なくとも１つのOFDMシンボルの位置を示すために具体的に使用される、請求項１１に記載の方法。
【請求項１４】
前記端末により、前記端末に送出され且つ前記少なくとも１つのOFDMシンボル上にある、前記サブフレームn+kにおいて前記基地局により送信されたデータを受信するステップであり、前記少なくとも１つのOFDMシンボルは、前記サブフレームnにあり且つ前記指示情報により指示されるステップは、
前記端末により、前記サブフレームn+kにおいて前記基地局により再送された前記サブフレームnにおける全データを受信するステップを含む、請求項１１乃至１３のうちいずれか１項に記載の方法。
【請求項１５】
前記端末により、前記端末に送出され且つ前記少なくとも１つのOFDMシンボル上にある、前記サブフレームn+kにおいて前記基地局により送信されたデータを受信するステップであり、前記少なくとも１つのOFDMシンボルは、前記サブフレームnにあり且つ前記指示情報により指示されるステップは、
前記端末により、前記端末に送出され且つ前記指示情報により指示された前記サブフレームnにおける前記少なくとも１つのOFDMシンボル上にある、前記サブフレームn+kにおいて少なくとも１つのリソースブロック内で前記基地局により再送された変調及び符号化されたデータを受信するステップを含む、請求項１１乃至１３のうちいずれか１項に記載の方法。
【請求項１６】
前記少なくとも１つのリソースブロックのアイドルのリソースエレメントは、0で埋められる、請求項１５に記載の方法。
【請求項１７】
前記端末により、前記端末に送出され且つ前記少なくとも１つのOFDMシンボル上にある、前記サブフレームn+kにおいて前記基地局により送信されたデータを受信するステップであり、前記少なくとも１つのOFDMシンボルは、前記サブフレームnにあり且つ前記指示情報により指示されるステップは、
前記端末により、前記端末に送出され且つ前記指示情報により指示された前記サブフレームnにおける前記少なくとも１つのOFDMシンボル上にある、前記サブフレームn+kにおいて少なくとも１つのOFDMシンボル上で前記基地局により再送された変調及び符号化されたデータを受信するステップを含む、請求項１１乃至１３のうちいずれか１項に記載の方法。
【請求項１８】
前記サブフレームn+kにおける再送に使用される前記OFDMシンボルの位置は、前記指示情報により指示された前記OFDMシンボルの前記位置と同じであるか、或いは
前記サブフレームn+kにおける再送に使用される前記OFDMシンボルの位置は、前記指示情報により指示された前記OFDMシンボルの前記位置と異なり、前記指示情報は、前記サブフレームn+kにおける再送に使用される前記OFDMシンボルの前記位置を示すために更に使用される、請求項１７に記載の方法。
【請求項１９】
前記指示情報は、ビットマップファイルbitmapフォーマットの情報であり、
前記指示情報内の各ビットは、データ情報を送信するために使用される１つのOFDMシンボルに対応し、対応するOFDMシンボルが先取りされるか否かを示すために1又は0が使用されるか、或いは
前記指示情報内の各ビットは、データ情報を送信するために使用されるOFDMシンボルの１つのグループに対応し、OFDMシンボルの対応するグループが先取りされるか否かを示すために1又は0が使用され、OFDMシンボルの前記グループは、少なくとも２つの連続するOFDMシンボルを含むか、或いは
前記指示情報内の各ビットは、データ情報を送信するために使用される２つのOFDMシンボルに対応し、２つの対応するOFDMシンボルが先取りされるか否かを示すために1又は0が使用され、前記２つのOFDMシンボルは、前記サブフレームnにおける２つのタイムスロット内にあり且つ同じシーケンス番号を有する２つのOFDMシンボルである、請求項１１乃至１８のうちいずれか１項に記載の方法。
【請求項２０】
前記指示情報は、データ情報を送信するために使用される複数の連続するOFDMシンボルの開始位置を含み、前記複数の連続する先取りされたOFDMシンボルの終了位置又は長さを更に含む、請求項１１乃至１８のうちいずれか１項に記載の方法。
【請求項２１】
サブフレームn+kにおいて、下りリンク制御情報を端末に送出するように構成された送出モジュールであり、前記下りリンク制御情報は、指示情報及びハイブリッド自動再送要求HARQプロセス識別情報を含み、前記指示情報は、サブフレームnにおいて基地局により前記端末に送出されたデータ内の少なくとも１つの直交周波数分割多重OFDMシンボルの位置を示すために使用され、前記下りリンク制御情報内の前記HARQプロセス識別情報は、前記サブフレームnにおけるHARQプロセス識別情報と同じであり、n及びkの双方は自然数である送出モジュールと、
前記サブフレームn+kにおいて、前記端末に送出され且つ前記少なくとも１つのOFDMシンボル上にあるデータを少なくとも送信するように構成された送信モジュールであり、前記少なくとも１つのOFDMシンボルは、前記サブフレームnにあり且つ前記指示情報により指示される送信モジュールと、
を含む基地局。
【請求項２２】
前記送信モジュールは、前記基地局により、前記サブフレームn+kにおいて、前記サブフレームnにおける全データを前記端末に再送するように具体的に構成される、請求項２１に記載の基地局。
【請求項２３】
前記送信モジュールは、前記サブフレームn+kにおいて、前記端末に送出され且つ前記指示情報により指示された前記サブフレームnにおける前記少なくとも１つのOFDMシンボル上にある変調及び符号化されたデータを、少なくとも１つのリソースブロックに追加し、前記データを前記端末に再送するように具体的に構成される、請求項２１に記載の基地局。
【請求項２４】
前記少なくとも１つのリソースブロックのアイドルのリソースエレメントを0で埋めるように構成された処理モジュールを更に含む、請求項２３に記載の基地局。
【請求項２５】
前記送信モジュールは、前記サブフレームn+kにおいて、前記端末に送出され且つ前記指示情報により指示された前記サブフレームnにおける前記少なくとも１つのOFDMシンボル上にある変調及び符号化されたデータを、少なくとも１つのOFDMシンボルに追加し、前記データを前記端末に再送するように具体的に構成される、請求項２１に記載の基地局。
【請求項２６】
前記サブフレームn+kにおける再送に使用される前記OFDMシンボルの位置は、前記指示情報により指示された前記OFDMシンボルの前記位置と同じであるか、或いは
前記サブフレームn+kにおける再送に使用される前記OFDMシンボルの位置は、前記指示情報により指示された前記OFDMシンボルの前記位置と異なり、前記指示情報は、前記サブフレームn+kにおける再送に使用される前記OFDMシンボルの前記位置を示すために更に使用される、請求項２５に記載の基地局。
【請求項２７】
前記指示情報は、ビットマップbitmapフォーマットの情報であり、
前記指示情報内の各ビットは、データを送信するために使用される１つのOFDMシンボルに対応し、対応するOFDMシンボルが指示されているか否かを示すために1又は0が使用されるか、或いは
前記指示情報内の各ビットは、データを送信するために使用されるOFDMシンボルの１つのグループに対応し、OFDMシンボルの対応するグループが指示されているか否かを示すために1又は0が使用され、OFDMシンボルの前記グループは、少なくとも２つの連続するOFDMシンボルを含むか、或いは
前記指示情報内の各ビットは、データを送信するために使用される２つのOFDMシンボルに対応し、２つの対応するOFDMシンボルが指示されているか否かを示すために1又は0が使用され、前記２つのOFDMシンボルは、前記サブフレームnにおける２つのタイムスロット内にあり且つ同じシーケンス番号を有する２つのOFDMシンボルである、請求項２１乃至２６のうちいずれか１項に記載の基地局。
【請求項２８】
前記指示情報は、データを送信するために使用される複数の連続するOFDMシンボルの開始位置を含み、前記複数の連続するOFDMシンボルの終了位置又は長さを更に含む、請求項２１乃至２６のうちいずれか１項に記載の基地局。
【請求項２９】
前記サブフレームnにおいて前記端末の少なくとも１つのOFDMシンボルを先取りするように構成されたスケジューリングモジュールであり、前記指示情報は、前記少なくとも１つの先取りされたOFDMシンボルの位置を示すために具体的に使用されるスケジューリングモジュールを更に含む、請求項２１乃至２８のうちいずれか１項に記載の基地局。
【請求項３０】
前記サブフレームn+kにおけるタイミング関係に従って、前記サブフレームn及び前記サブフレームn+kについて前記端末によりフィードバックされたフィードバック情報を受信するように構成された受信モジュールであり、前記フィードバック情報は、肯定応答ACK又は否定応答NACKである受信モジュールを更に含む、請求項２１乃至２８のうちいずれか１項に記載の基地局。
【請求項３１】
サブフレームn+kにおいて基地局により送出された下りリンク制御情報を受信するように構成された情報受信モジュールであり、n及びkの双方は自然数であり、前記下りリンク制御情報は、指示情報及びハイブリッド自動再送要求HARQプロセス識別情報を含み、前記指示情報は、サブフレームnにおいて前記基地局により端末に送出されたデータ内の少なくとも１つの直交周波数分割多重OFDMシンボルの位置を示すために使用され、前記下りリンク制御情報内の前記HARQプロセス識別情報は、前記サブフレームnにおけるHARQプロセス識別情報と同じである情報受信モジュールと、
前記端末に送出され且つ前記少なくとも１つのOFDMシンボル上にある、前記サブフレームn+kにおいて前記基地局により送信されたデータを受信するように構成されたデータ受信モジュールであり、前記少なくとも１つのOFDMシンボルは、前記サブフレームnにあり且つ前記指示情報により指示されるデータ受信モジュールと、
前記指示情報に従って、前記指示情報により指示された前記少なくとも１つのOFDMシンボル上にあり且つ前記サブフレームnにおいて受信した前記データ内にあるデータを破棄するように構成されたデータ処理モジュールと、
前記サブフレームnにおいて受信した前記データと、前記サブフレームn+kにおいて受信した前記データとに対してジョイント復号化を実行するように構成された復号化モジュールと
を含む端末。
【請求項３２】
前記サブフレームn+kにおけるタイミング関係に従って、前記サブフレームn及び前記サブフレームn+kについてフィードバック情報をフィードバックするように構成されたフィードバックモジュールであり、前記フィードバック情報は、肯定応答ACK又は否定応答NACKであるフィードバックモジュールを更に含む、請求項３１に記載の端末。
【請求項３３】
前記指示情報は、前記サブフレームnにおいて前記基地局により先取りされた前記端末の少なくとも１つのOFDMシンボルの位置を示すために具体的に使用される、請求項３１に記載の端末。
【請求項３４】
前記データ受信モジュールは、前記サブフレームn+kにおいて前記基地局により再送された前記サブフレームnにおける全データを受信するように具体的に構成される、請求項３１乃至３３のうちいずれか１項に記載の方法。
【請求項３５】
前記データ受信モジュールは、前記端末に送出され且つ前記指示情報により指示された前記サブフレームnにおける前記少なくとも１つのOFDMシンボル上にある、前記サブフレームn+kにおいて少なくとも１つのリソースブロック内で前記基地局により再送された変調及び符号化されたデータを受信するように具体的に構成される、請求項３１乃至３３のうちいずれか１項に記載の方法。
【請求項３６】
前記少なくとも１つのリソースブロックのアイドルのリソースエレメントREは、0で埋められる、請求項３５に記載の端末。
【請求項３７】
前記データ受信モジュールは、前記端末に送出され且つ前記指示情報により指示された前記サブフレームnにおける前記少なくとも１つのOFDMシンボル上にある、前記サブフレームn+kにおいて少なくとも１つのOFDMシンボル上で前記基地局により再送された変調及び符号化されたデータを受信するように具体的に構成される、請求項３１乃至３３のうちいずれか１項に記載の端末。
【請求項３８】
前記サブフレームn+kにおける再送に使用される前記OFDMシンボルの位置は、前記指示情報により指示された前記OFDMシンボルの前記位置と同じであるか、或いは
前記サブフレームn+kにおける再送に使用される前記OFDMシンボルの位置は、前記指示情報により指示された前記OFDMシンボルの前記位置と異なり、前記指示情報は、前記サブフレームn+kにおける再送に使用される前記OFDMシンボルの前記位置を示すために更に使用される、請求項３７に記載の端末。
【請求項３９】
前記指示情報は、ビットマップファイルbitmapフォーマットの情報であり、
前記指示情報内の各ビットは、データ情報を送信するために使用される１つのOFDMシンボルに対応し、対応するOFDMシンボルが先取りされるか否かを示すために1又は0が使用されるか、或いは
前記指示情報内の各ビットは、データ情報を送信するために使用されるOFDMシンボルの１つのグループに対応し、OFDMシンボルの対応するグループが先取りされるか否かを示すために1又は0が使用され、OFDMシンボルの前記グループは、少なくとも２つの連続するOFDMシンボルを含むか、或いは
前記指示情報内の各ビットは、データ情報を送信するために使用される２つのOFDMシンボルに対応し、２つの対応するOFDMシンボルが先取りされるか否かを示すために1又は0が使用され、前記２つのOFDMシンボルは、前記サブフレームnにおける２つのタイムスロット内にあり且つ同じシーケンス番号を有する２つのOFDMシンボルである、請求項３１乃至３８のうちいずれか１項に記載の端末。
【請求項４０】
前記指示情報は、データ情報を送信するために使用される複数の連続するOFDMシンボルの開始位置を含み、前記複数の連続する先取りされたOFDMシンボルの終了位置又は長さを更に含む、請求項３１乃至３８のうちいずれか１項に記載の端末。
【発明の詳細な説明】
【技術分野】
【０００１】
本発明は、通信技術の分野に関し、具体的には下りリンク送信方法、基地局及び端末に関する。
【背景技術】
【０００２】
現在におけるモバイルネットワークの様々なサービスの中で、ビデオサービスは、ネットワークトラヒックの大部分を専有する。しかし、ビデオ再生におけるストール現象（stalling  phenomenon）は、モバイルビデオサービスのユーザ体験にひどく影響を与える。仮想現実のような新たなビデオサービスの導入によって、ビデオサービスは、より高い帯域幅及びより低い遅延を必要とする。
【０００３】
LTE/LTE-A（LTEはロングタームエボリューション（Long  Term  Evolution）の略称であり、LTE-Aはロングタームエボリューション・アドバンスト（Long  Term  Evolution  Advanced）の略称である）では、1msが、物理リソースブロック（英文フルネーム：Physical  Resource  Block,  略称：PRB）を端末（英文フルネーム：User  Equipment,  略称：UE）に割り当てるための単位として使用される（すなわち、1TTI=1msであり、TTIは送信時間間隔（Transmission  Time  Interval）の略称である）。基地局（英文フルネーム：Evolved  NodeB,  略称：eNB）がパケットを送出する時間から、基地局がUEから正確な受信を示すフィードバックを受信する時間まで、8msのラウンドトリップ時間が存在する。
【０００４】
パケット送信のラウンドトリップ遅延を低減するために、0.5ms  TTI又は1-symbol（シンボル）-TTIのようなより短いTTI（shorter  TTI）が導入される必要がある。1-symbol  TTIが例として使用される。１つのパケットの送信のラウンドトリップ遅延は、8シンボルであり、すなわち、1msより小さい遅延である。shorter  TTIの導入によって、送信遅延が低減でき、それにより、ビデオサービスの低遅延要件を確保する。
【０００５】
ビデオサービスは、低遅延を必要とし、比較的多数の送信パケットのため、高帯域幅を更に必要とする。1-symbol  TTIをサポートする新たなUEがレガシー（legacy）UEと共存するシナリオでは、legacy  UEが1ms内の比較的多数の周波数ドメインリソースを占有するときに、低遅延ビデオサービスがこの1ms内に突発した場合、比較的少数の時間周波数リソースが新たなUEにより使用可能になる。これは、遅延の増加を引き起こす。
【０００６】
下りリンク（英文フルネーム：Downlink,  略称：DL）送信の間に、低遅延ビデオサービスの高帯域幅低遅延の要件を確保するための方法は、以下の通り記述される。低遅延サービスは、legacy  UEのいくつかのシンボル上の周波数ドメインリソースを先取りし、低遅延サービスが1ms内に突発したときに、基地局は、legacy  UEのリソースエレメント（英文フルネーム：Resource  Element,  略称：RE）を先取りし、legacy  UEにより使用されるRE上で低遅延サービスのデータを送信する。
【０００７】
この方法の利点は、低遅延サービスの高帯域幅低遅延の要件が確保できる点である。しかし、この方法では、legacy  UEのいくつかのシンボル上のデータがlegacy  UEにより必要とされるデータではないため、legacy  UEの不正確な受信が引き起こされ、ハイブリッド自動再送要求（英文フルネーム：Hybrid  Automatic  Repeat  Request,  略称：HARQ）合成が実行されるときに合成利得が低減される。さらに、legacy  UEがデータを不正確に受信し、不正確な受信を示すフィードバックを基地局に与えた後に、基地局は、8サブフレームの後にデータを再送し、すなわち、再送遅延は比較的高く、8サブフレームの長さになる。
【０００８】
したがって、1-symbol  TTIのようなshorter  TTIをサポートする新たなUEがlegacy  UEと共存するときに、基地局が新たなUEのためにlegacy  UEのREを先取りした後に、どのようにlegacy  UEの受信性能を確保するかが、緊急に解決されるべき技術的課題である。
【発明の概要】
【０００９】
本発明の実施例は、端末の受信性能を改善するための下りリンク送信方法、基地局及び端末を提供する。
【００１０】
本発明の第１の態様によれば、下りリンク送信方法が提供される。方法は以下のステップを含む。基地局は、サブフレームn+kにおいて、指示情報及びハイブリッド自動再送要求（HARQ）プロセス識別情報を含む下りリンク制御情報を端末に送出してもよい。指示情報は、サブフレームnにおいて基地局により端末に送出されたデータ情報内の少なくとも１つの直交周波数分割多重（英文フルネーム：Orthogonal  Frequency  Division  Multiple  Access,  略称：OFDM）シンボルの位置を示すために使用される。下りリンク制御情報内のHARQプロセス識別情報は、サブフレームnにおけるHARQプロセス識別情報と同じである。n及びkの双方は自然数であり、任意選択で、kは8より大きくない自然数である。指示情報は、端末により対応する動作を実行するため、例えば、指示情報により指示された少なくとも１つのOFDMシンボル上にあり且つサブフレームnにおいて受信したデータ内にあるデータを破棄するために使用されてもよく、それにより、受信エラーが回避でき、受信性能が改善できる。さらに、基地局は、サブフレームn+kにおいて、サブフレームnにおける部分データ又は全データを端末に再送し、再送されるデータは、端末に送出され且つ指示情報により指示されたサブフレームnにおける少なくとも１つのOFDMシンボル上にあるデータを含み、それにより、端末は、サブフレームn+kにおいて、サブフレームnにおいて受信できないデータを取得してもよい。したがって、端末の正確な受信が確保され、さらに、再送遅延はk個のサブフレームの長さであるため、再送遅延が低減される。さらに、端末は、サブフレームnにおいて受信したデータと、サブフレームn+kにおいて受信したデータとに対してジョイント復号化を実行してもよく、それにより、受信性能を更に改善する。
【００１１】
基地局により、サブフレームn+kにおいてデータを再送する方式は、以下の３つの方式を含んでもよいが、これらに限定されない。
【００１２】
方式１：サブフレームnにおける全データが、サブフレームn+kにおいて端末に再送される。この方式では、サブフレームnにおける全データが再送され、それにより、合成、復調及び復号化の成功率がより高くなる。
【００１３】
方式２：サブフレームn+kにおいて、端末に送出され且つ指示情報により指示されたサブフレームnにおける少なくとも１つのOFDMシンボル上にある変調及び符号化されたデータが、少なくとも１つのリソースブロックに追加され、データが端末に再送される。この方式では、ターゲットデータを再送するためにサブフレームn+kにおいて使用されていない他のRBは、使用のために他のUEに割り当てられてもよく、それにより、サブフレームn+kの利用効率が改善できる。
【００１４】
方式３：サブフレームn+kにおいて、端末に送出され且つ指示情報により指示されたサブフレームnにおける少なくとも１つのOFDMシンボル上にある変調及び符号化されたデータが、少なくとも１つのOFDMシンボルに追加され、データが端末に再送される。この方式では、同じ数のOFDMシンボルがサブフレームn+kにおいてデータを再送するために使用され、それにより、端末が受信及び復号化をより容易に実行する。
【００１５】
指示情報の実現方式は、以下のいくつかの方式を含んでもよいが、これらに限定されない。
【００１６】
１つの方式では、指示情報は、ビットマップ（bitmap）フォーマットの情報でもよい。指示情報は、複数のデータビットを含んでもよく、データビットの値（値は1又は0である）は、対応するOFDMシンボルが先取りされるか否かを示すために使用される。例えば、指示情報内の各ビットは、データを送信するために使用される１つのOFDMシンボルに対応してもよく、或いは指示情報内の各ビットは、データを送信するために使用されるOFDMシンボルの１つのグループに対応し、OFDMシンボルのグループは、少なくとも２つの連続するOFDMシンボルを含むか、或いは指示情報内の各ビットは、データを送信するために使用される２つのOFDMシンボルに対応し、２つのOFDMシンボルは、サブフレームnにおける２つのタイムスロット内にあり且つ同じシーケンス番号を有する２つのOFDMシンボルである。この方式では、bitmap情報が指示のために使用され、数個のデータビットのみが必要であり、それにより、比較的少ないトランスポートベアラが占有される。
【００１７】
他の方式では、指示情報は、ビットマップ（bitmap）フォーマットの情報でなく、特定の指示データ情報を含み、例えば、データを送信するために使用される複数の連続するOFDMシンボルの開始位置を含み、複数の連続するOFDMシンボルの終了位置又は長さを更に含んでもよい。この方式では、複数の指示されるOFDMシンボルが存在するときに、OFDMシンボルが連続的である必要がある。
【００１８】
サブフレームn+kにおいて、サブフレームnにおける部分データ又は全データを再送した後に、基地局は、サブフレームn+kにおけるタイミング関係に従って、サブフレームn及びサブフレームn+kについて端末によりフィードバックされたフィードバック情報を更に受信してもよい。フィードバック情報は、肯定応答ACK又は否定応答NACKである。端末は、サブフレームnについてのフィードバック情報を必ずしも送出しなくてもよいが、その代わりに、端末は、サブフレームn及びサブフレームn+kについて１回のみフィードバック情報をフィードバックし、それにより、フィードバック数を低減する。
【００１９】
本発明の第２の態様によれば、下りリンク送信方法が提供される。方法は、基地局側で実行され且つ本発明の第１の態様において記載した下りリンク送信方法に対応し、以下のステップを含む。端末は、サブフレームn+kにおいて基地局により送出され且つ指示情報及びHARQプロセス識別情報を含む下りリンク制御情報を受信してもよい。n及びkの双方は自然数である。指示情報は、サブフレームnにおいて基地局により端末に送出されたデータ内の少なくとも１つのOFDMシンボルの位置を示すために使用される。下りリンク制御情報内のHARQプロセス識別情報は、サブフレームnにおけるHARQプロセス識別情報と同じである。端末は、指示情報に従って対応する動作を実行し、例えば、指示情報により指示された少なくとも１つのOFDMシンボル上にあり且つサブフレームnにおいて受信したデータ内にあるデータを破棄してもよく、それにより、受信エラーが回避でき、受信性能が改善できる。端末は、端末に送出され且つ指示情報により指示されたサブフレームnにおける少なくとも１つのOFDMシンボル上にある、サブフレームn+kにおいて基地局により送信されたデータを更に受信する。したがって、端末の正確な受信が確保され、さらに、再送遅延はk個のサブフレームの長さであるため、再送遅延が低減される。次に、端末は、受信性能を更に改善するために、サブフレームnにおいて受信したデータと、サブフレームn+kにおいて受信したデータとに対してジョイント復号化を実行してもよい。
【００２０】
端末は、複数の方式でサブフレームn+kにおいて基地局により再送されたデータを受信してもよく、再送方式は、本発明の第１の態様において記載した３つの方式を含むが、これらに限定されない。
【００２１】
指示情報の実現方式は、本発明の第１の態様において記載したいくつかの方式を含んでもよいが、これらに限定されない。
【００２２】
サブフレームn+kにおいてデータを受信した後に、端末は、サブフレームn+kにおけるタイミング関係に従って、サブフレームn及びサブフレームn+kについてフィードバック情報をフィードバックし、すなわち、サブフレームn及びサブフレームn+kについて１回のみフィードバック情報をフィードバックしてもよく、それにより、フィードバック数を低減する。
【００２３】
本発明の第３の態様によれば、基地局が提供される。基地局は、本発明の第１の態様において記載した下りリンク送信方法に対応し、下りリンク送信方法を実現し、対応する技術的効果を達成するように構成される。基地局は、送出モジュールと、送信モジュールとを含んでもよい。送出モジュールは、サブフレームn+kにおいて、指示情報及びHARQプロセス識別情報を含む下りリンク制御情報を端末に送出してもよい。指示情報は、サブフレームnにおいて基地局により端末に送出されたデータ内の少なくとも１つの直交周波数分割多重OFDMシンボルの位置を示すために使用される。下りリンク制御情報内のHARQプロセス識別情報は、サブフレームnにおけるHARQプロセス識別情報と同じである。n及びkの双方は自然数である。送信モジュールは、サブフレームn+kにおいて、端末に送出され且つ指示情報により指示されたサブフレームnにおける少なくとも１つのOFDMシンボル上にあるデータを少なくとも送信してもよい。指示情報は、端末により対応する動作を実行するため、例えば、指示情報により指示された少なくとも１つのOFDMシンボル上にあり且つサブフレームnにおいて受信したデータ内にあるデータを破棄するために使用されてもよく、それにより、受信エラーが回避でき、受信性能が改善できる。さらに、基地局は、サブフレームn+kにおいて、サブフレームnにおける部分データ又は全データを端末に再送し、再送されるデータは、端末に送出され且つ指示情報により指示されたサブフレームnにおける少なくとも１つのOFDMシンボル上にあるデータを含み、それにより、端末は、サブフレームn+kにおいて、サブフレームnにおいて受信できないデータを取得してもよい。したがって、端末の正確な受信が確保され、さらに、再送遅延はk個のサブフレームの長さであるため、再送遅延が低減される。さらに、端末は、サブフレームnにおいて受信したデータと、サブフレームn+kにおいて受信したデータとに対してジョイント復号化を実行してもよく、それにより、受信性能を更に改善する。
【００２４】
基地局は、複数の方式でサブフレームn+kにおいてデータを端末に再送してもよく、再送方式は、本発明の第１の態様において記載した３つの方式を含むが、これらに限定されない。
【００２５】
指示情報の実現方式は、本発明の第１の態様において記載したいくつかの方式を含んでもよいが、これらに限定されない。
【００２６】
基地局は、サブフレームn+kにおけるタイミング関係に従って、サブフレームn及びサブフレームn+kの双方について端末によりフィードバックされたフィードバック情報を受信してもよく、それにより、フィードバック数を低減する。
【００２７】
本発明の第４の態様によれば、端末が提供される。端末は、本発明の第１の態様において記載した下りリンク送信方法に対応し、下りリンク送信方法を実現し、対応する技術的効果を達成するように構成される。端末は、情報受信モジュールと、データ受信モジュールと、データ処理モジュールと、復号化モジュールとを含んでもよい。情報受信モジュールは、サブフレームn+kにおいて基地局により送出され且つ指示情報及びHARQプロセス識別情報を含む下りリンク制御情報を受信してもよい。n及びkの双方は自然数である。指示情報は、サブフレームnにおいて基地局により端末に送出されたデータ内の少なくとも１つの直交周波数分割多重OFDMシンボルの位置を示すために使用される。下りリンク制御情報内のHARQプロセス識別情報は、サブフレームnにおけるHARQプロセス識別情報と同じである。データ処理モジュールは、指示情報に従って対応する動作を実行し、例えば、指示情報により指示された少なくとも１つのOFDMシンボル上にあり且つサブフレームnにおいて受信したデータ内にあるデータを破棄してもよく、それにより、受信エラーが回避でき、受信性能が改善できる。データ受信モジュールは、端末に送出され且つ指示情報により指示されたサブフレームnにおける少なくとも１つのOFDMシンボル上にある、サブフレームn+kにおいて基地局により送信されたデータを受信してもよい。したがって、端末の正確な受信が確保され、さらに、再送遅延はk個のサブフレームの長さであるため、再送遅延が低減される。復号化モジュールは、サブフレームnにおいて受信したデータと、サブフレームn+kにおいて受信したデータとに対してジョイント復号化を実行してもよく、それにより、受信性能を更に改善する。
【００２８】
端末は、複数の方式でサブフレームn+kにおいて基地局により再送されたデータを受信してもよく、再送方式は、本発明の第１の態様において記載した３つの方式を含むが、これらに限定されない。
【００２９】
指示情報の実現方式は、本発明の第１の態様において記載したいくつかの方式を含んでもよいが、これらに限定されない。
【００３０】
サブフレームn+kにおいてデータを受信した後に、端末は、サブフレームn+kにおけるタイミング関係に従って、サブフレームn及びサブフレームn+kの双方についてフィードバック情報をフィードバックしてもよく、それにより、フィードバック数を低減する。
【００３１】
本発明の第５の態様によれば、基地局が提供される。基地局は、本発明の第１の態様において記載した下りリンク送信方法に対応し、下りリンク送信方法を実現し、対応する技術的効果を達成するように構成される。基地局は、送信機を含んでもよい。送信機は、サブフレームn+kにおいて、指示情報及びHARQプロセス識別情報を含む下りリンク制御情報を端末に送出してもよい。指示情報は、サブフレームnにおいて基地局により端末に送出されたデータ内の少なくとも１つの直交周波数分割多重OFDMシンボルの位置を示すために使用される。下りリンク制御情報内のHARQプロセス識別情報は、サブフレームnにおけるHARQプロセス識別情報と同じである。n及びkの双方は自然数である。送信機は、サブフレームn+kにおいて、端末に送出され且つ指示情報により指示されたサブフレームnにおける少なくとも１つのOFDMシンボル上にあるデータを少なくとも更に送信してもよい。指示情報は、端末により対応する動作を実行するため、例えば、指示情報により指示された少なくとも１つのOFDMシンボル上にあり且つサブフレームnにおいて受信したデータ内にあるデータを破棄するために使用されてもよく、それにより、受信エラーが回避でき、受信性能が改善できる。さらに、基地局は、サブフレームn+kにおいて、サブフレームnにおける部分データ又は全データを端末に再送し、再送されるデータは、端末に送出され且つ指示情報により指示されたサブフレームnにおける少なくとも１つのOFDMシンボル上にあるデータを含み、それにより、端末は、サブフレームn+kにおいて、サブフレームnにおいて受信できないデータを取得してもよい。したがって、端末の正確な受信が確保され、さらに、再送遅延はk個のサブフレームの長さであるため、再送遅延が低減される。さらに、端末は、サブフレームnにおいて受信したデータと、サブフレームn+kにおいて受信したデータとに対してジョイント復号化を実行してもよく、それにより、受信性能を更に改善する。
【００３２】
基地局により、サブフレームn+kにおいてデータを再送する方式は、以下の３つの方式を含んでもよいが、これらに限定されない。
【００３３】
方式１：送信機は、サブフレームn+kにおいて、サブフレームnにおける全データを端末に再送する。この方式では、サブフレームnにおける全データが再送され、それにより、合成、復調及び復号化の成功率がより高くなる。
【００３４】
方式２：サブフレームn+kにおいて、送信機は、端末に送出され且つ指示情報により指示されたサブフレームnにおける少なくとも１つのOFDMシンボル上にある変調及び符号化されたデータを、少なくとも１つのリソースブロックに追加し、データを端末に再送する。この方式では、ターゲットデータを再送するためにサブフレームn+kにおいて使用されていない他のRBは、使用のために他のUEに割り当てられてもよく、それにより、サブフレームn+kの利用効率が改善できる。
【００３５】
方式３：サブフレームn+kにおいて、送信機は、端末に送出され且つ指示情報により指示されたサブフレームnにおける少なくとも１つのOFDMシンボル上にある変調及び符号化されたデータを、少なくとも１つのOFDMシンボルに追加し、データを端末に再送する。この方式では、同じ数のOFDMシンボルがサブフレームn+kにおいてデータを再送するために使用され、それにより、端末が受信及び復号化をより容易に実行する。
【００３６】
指示情報の実現方式は、以下のいくつかの方式を含んでもよいが、これらに限定されない。
【００３７】
１つの方式では、指示情報は、ビットマップ（bitmap）フォーマットの情報でもよい。指示情報は、複数のデータビットを含んでもよく、データビットの値（値は1又は0である）は、対応するOFDMシンボルが先取りされるか否かを示すために使用される。例えば、指示情報内の各ビットは、データを送信するために使用される１つのOFDMシンボルに対応してもよく、或いは指示情報内の各ビットは、データを送信するために使用されるOFDMシンボルの１つのグループに対応し、OFDMシンボルのグループは、少なくとも２つの連続するOFDMシンボルを含むか、或いは指示情報内の各ビットは、データを送信するために使用される２つのOFDMシンボルに対応し、２つのOFDMシンボルは、サブフレームnにおける２つのタイムスロット内にあり且つ同じシーケンス番号を有する２つのOFDMシンボルである。この方式では、bitmap情報が指示のために使用され、数個のデータビットのみが必要であり、それにより、比較的少ないトランスポートベアラが占有される。
【００３８】
他の方式では、指示情報は、ビットマップ（bitmap）フォーマットの情報でなく、特定の指示データ情報を含み、例えば、データを送信するために使用される複数の連続するOFDMシンボルの開始位置を含み、複数の連続するOFDMシンボルの終了位置又は長さを更に含んでもよい。この方式では、複数の指示されるOFDMシンボルが存在するときに、OFDMシンボルが連続的である必要がある。
【００３９】
基地局は、受信機を更に含んでもよい。受信機は、サブフレームn+kにおけるタイミング関係に従って、サブフレームn及びサブフレームn+kについて端末によりフィードバックされたフィードバック情報を受信してもよい。この方式では、端末は、サブフレームnについてのフィードバック情報を必ずしも送出しなくてもよいが、その代わりに、端末は、サブフレームn及びサブフレームn+kについて１回のみフィードバック情報をフィードバックし、それにより、フィードバック数を低減する。
【００４０】
基地局は、プロセッサを更に含んでもよい。プロセッサは、サブフレームnにおいて端末の少なくとも１つのOFDMシンボルを先取りしてもよい。指示情報は、少なくとも１つの先取りされたOFDMシンボルの位置を示すために具体的に使用される。
【００４１】
本発明の第６の態様によれば、端末が提供される。基地局は、本発明の第４の態様において記載した下りリンク送信方法に対応し、下りリンク送信方法を実現し、対応する技術的効果を達成するように構成される。端末は、受信機と、プロセッサとを含んでもよい。本発明の第５の態様において記載した基地局に対応して、端末の受信機は、サブフレームn+kにおいて基地局により送出され且つ指示情報及びHARQプロセス識別情報を含む下りリンク制御情報を受信してもよい。n及びkの双方は自然数である。指示情報は、サブフレームnにおいて基地局により端末に送出されたデータ内の少なくとも１つの直交周波数分割多重OFDMシンボルの位置を示すために使用される。下りリンク制御情報内のHARQプロセス識別情報は、サブフレームnにおけるHARQプロセス識別情報と同じである。受信機は、指示情報に従って対応する動作を更に実行し、例えば、指示情報により指示された少なくとも１つのOFDMシンボル上にあり且つサブフレームnにおいて受信したデータ内にあるデータを破棄してもよく、それにより、受信エラーが回避でき、受信性能が改善できる。受信機は、端末に送出され且つ指示情報により指示されたサブフレームnにおける少なくとも１つのOFDMシンボル上にある、サブフレームn+kにおいて基地局により送信されたデータを更に受信してもよい。したがって、端末の正確な受信が確保され、さらに、再送遅延はk個のサブフレームの長さであるため、再送遅延が低減される。プロセッサは、サブフレームnにおいて受信したデータと、サブフレームn+kにおいて受信したデータとに対してジョイント復号化を実行してもよく、それにより、受信性能を更に改善する。
【００４２】
端末は、複数の方式でサブフレームn+kにおいて基地局により再送されたデータを受信してもよく、再送方式は、本発明の第５の態様において記載した３つの方式を含むが、これらに限定されない。
【００４３】
指示情報の実現方式は、本発明の第５の態様において記載したいくつかの方式を含んでもよいが、これらに限定されない。
【００４４】
端末は、送信機を含んでもよい。送信機は、サブフレームn+kにおけるタイミング関係に従って、サブフレームn及びサブフレームn+kについてフィードバック情報をフィードバックし、すなわち、サブフレームn及びサブフレームn+kについて１回のみフィードバック情報をフィードバックしてもよく、それにより、フィードバック数を低減する。
【００４５】
前述から、本発明のいくつかの実現可能な実現方式において、基地局がサブフレームn+kにおいて端末に指示情報を送出し、端末に対して指示情報に従って対応する動作を実行するように、例えば、サブフレームnにおける少なくとも１つの指示されたOFDMシンボル上で受信したデータを破棄するように命令し、サブフレームn+kにおいてデータを端末に再送することが習得され得る。したがって、端末の正確な受信が確保され、再送遅延が低減され、端末の受信性能が改善される。
【図面の簡単な説明】
【００４６】
【図１】本発明の実施例による通信システムの概略アーキテクチャ図である。
【図２】LTE/LTE-Aにおける下りリンクリソースマッピングの概略図である。
【図３】RB上へのパイロット信号のマッピングの概略図である。
【図４】従来の下りリンクHARQの概略図である。
【図５】本発明の実施例による下りリンク送信方法の概略フローチャートである。
【図６】本発明による再送方式１における下りリンクリソースマッピングの概略図である。
【図７】本発明による再送方式２における下りリンクリソースマッピングの概略図である。
【図８】本発明による再送方式３における下りリンクリソースマッピングの概略図である。
【図９】本発明の実施例による基地局の概略構成図である。
【図１０】本発明の実施例による端末の概略構成図である。
【図１１】本発明の他の実施例による基地局の概略構成図である。
【図１２】本発明の他の実施例による端末の概略構成図である。
【発明を実施するための形態】
【００４７】
当業者に本発明における解決策をより良く理解してもらうために、以下に、本発明の実施例における添付図面を参照して本発明の実施例における技術的解決策を明確且つ完全に説明する。明らかに、説明する実施例は、本発明の実施例の全てではなく、単なる一部である。創造的取り組みなしに本発明の実施例に基づいて当業者により得られる全ての他の実施例は、本発明の保護範囲内に入るものとする。
【００４８】
本発明の明細書、特許請求の範囲及び添付図面において、「第１」、「第２」、「第３」等の用語は、異なる物を区別することを意図するものであり、特定の順序を示さない。さらに、「含む」、「有する」及びこれらの他の変形は、非排他的包含をカバーすることを意図するものである。例えば、一連のステップ又はユニットを含むプロセス、方法、システム、プロダクト又はデバイスは、記載のステップ又はユニットに限定されず、任意選択で記載されていないステップ又はユニットを更に含むか、或いは任意選択でプロセス、方法、プロダクト又はデバイスの他の固有のステップ又はユニットを更に含む。
【００４９】
LTEシステムが前述の背景技術の部分における紹介の例として使用されているが、当業者は、本発明がLTEシステムのみならず、グローバル・システム・フォー・モバイル・コミュニケーションズ（Global  System  for  Mobile  Communication,  GSM)、ユニバーサル・モバイル・テレコミュニケーションズ・システム（Universal  Mobile  Telecommunications  Systemc,  UMTS）、符号分割多元接続（Code  Division  Multiple  Access,  CDMA）システム及び新たなネットワークシステムのような他の無線通信システムにも適用可能であることを理解するべきである。以下に、例としてLTEシステムを使用することにより、具体的な実施例について説明する。
【００５０】
本発明の実施例における端末は、ユーザ装置、ユーザのために音声及び／又はデータ接続を提供するデバイス、無線接続機能を有するハンドヘルドデバイス等でもよい。例えば、端末は、移動電話（「セルラ」電話とも呼ばれる）のようなモバイル端末でもよく、或いはポータブル、ポケットサイズ、ハンドヘルド、コンピュータ内蔵又は車載のモバイル装置のようなモバイル端末を有するコンピュータでもよい。端末は、少なくとも１つのコアネットワークと通信するために、基地局（eNB）を使用することにより無線アクセスネットワーク（Radio  Access  Network,  RAN）に接続されてもよい。
【００５１】
本発明の実施例における基地局（eNB）は、モバイル通信基地局でもよい。モバイル通信基地局は、無線基地局の形式であり、モバイル通信交換局を使用することにより、特定の無線カバレッジエリア内で端末と情報通信を実行する無線送受信局である。例えば、基地局（eNB）は、マクロ基地局、マイクロ基地局、ピコセル基地局又は分散型基地局でもよい。
【００５２】
図１を参照すると、図１は、本発明の実施例による通信システムの概略アーキテクチャ図である。通信システム100は、基地局110と、端末120とを含んでもよい。
【００５３】
まず、以下にLTE/LTE-Aにおける下りリンク送信技術について説明する。
【００５４】
1.LTE/LTE-Aにおける下りリンクリソースマッピング
直交周波数分割多元接続（英文フルネーム：Orthogonal  Frequency  Division  Multiple  Access,  略称：OFDMA）技術が、LTE/LTE-Aにおける下りリンク送信の中で使用される。OFDMAは、直交周波数分割多重（英文フルネーム：Orthogonal  Frequency  Division  Multiplexing,  略称：OFDM）技術から進化したものであり、OFDM技術と周波数分割多元接続（英文フルネーム：frequency  division  multiple  access,  略称：FDMA）技術との組み合わせである。
【００５５】
時間ドメインでは、１つの無線フレームは10msの長さを有し、10個のサブフレームを含む。各サブフレームは1msであり、各サブフレームは２つのタイムスロット（slot）を含む。各タイムスロットは7個のシンボル（通常CPの場合）又は6個のシンボル（拡張CPが使用される場合）のOFDMを含む。図２を参照すると、周波数ドメインでは、リソースブロック（英文フルネーム：Resource  Block,  略称：RB）は複数のサブキャリアを含み、１つのOFDMシンボル内の１つのサブキャリアは、リソースエレメント（RE）と呼ばれる。RBは、LTE/LTE-Aにおける下りリンクリソース割り当ての最小単位であり、１つのRBは、12個の連続するサブキャリアと、１つのタイムスロットとを含む。リソースブロックは、物理リソースブロック（PRB）と、仮想リソースブロック（英文フルネーム：Virtual  Resource  Block,  略称：VRB）とに分類される。PRBは、リソースブロックの実際の周波数の位置を意味し、PRBは昇順に番号が付けられる。VRBは、PRBの番号を振り直すことにより取得された形式であり、VRBは、複数の方式でPRBにマッピングされてもよい。基地局は、PRBペア（すなわち、２つのslot内のPRB）を単位として使用することにより、１つのサブフレームにおいてリソースを割り当ててもよい。
【００５６】
図３を参照すると、１つのRB内のいくつかのRBは、セル特有参照信号（英文フルネーム：Cell-specific  Reference  Signal,  略称：CRS）、UE特有参照信号（英文フルネーム：UE-specific  Reference  Signal,  略称：UE-specific  RS）及びチャネル状態情報参照信号（英文フルネーム：Channel  State  Information-Reference  Signal,  略称：CSI-RS）のようなパイロットとして使用されてもよい。
【００５７】
2.HARQプロセス
LTEでは、HARQプロトコルが再送を実行するために使用され、HARQでは、データを送出するためにストップ・アンド・ウェイト・プロトコル（stop-and-wait  protocol）が使用される。
【００５８】
ステップ・アンド・ウェイト・プロトコルでは、トランスポートブロック（英文フルネーム：Transport  Block,  略称：TB）を送出した後に、送信エンドは、フィードバック情報を待機するために停止する。フィードバック情報は、ACK（Acknowledgment,  肯定応答）又はNACK（Negative  ACKnowledgment,  否定応答）を含む。受信エンドは、TBについてACK又はNACKをフィードバックするために１ビットの情報を使用してもよい。
【００５９】
図４に示すように、基地局eNBは、サブフレーム0（又はサブフレームn、nは自然数である）において下りリンクデータを送信し、端末は、サブフレーム4（又はサブフレームn+4）においてACK/NACKをフィードバックする。データが正確に復号化された場合、ACKがフィードバックされる。データが不正確に復号化された場合、NACKがフィードバックされる。eNBがNACKを受信した場合、eNBは、サブフレーム8（又はサブフレームn+8）においてデータを再送する。
【００６０】
しかし、再送後に毎回、送信エンドは、肯定応答を待機するために停止し、したがって、極めて低いスループットが引き起こされる。したがって、LTEでは、8個の同時のストップ・アンド・ウェイト・プロセスが使用されるか、或いは8個のHARQプロセスが使用される。１つのHARQプロセスがフィードバック情報を待機するときに、送信エンドは、他のHARQプロセスを使用することにより、継続的にデータを送出してもよい。下りリンクデータ送信の間に、HARQプロセスIDが下りリンク制御情報（英文フルネーム：Downlink  Control  Information,  略称：DCI）において指示されてもよい。
【００６１】
HARQプロセスを使用することによりサブフレームnにおいて下りリンクデータを送出した後に、基地局がNACKを受信したときに、基地局は、同じHARQプロセスを使用することによりサブフレームn+8においてデータを再送する。端末は、受信したサブフレームn及びサブフレームn+8に対してジョイント復号化を実行してもよい。これは、HARQ合成と呼ばれる。HARQでは、ジョイント復号化は、２つ以上のサブフレームに対して実行されてもよい。
【００６２】
下りリンク送信方法、基地局及び端末が本発明の実施例において提供され、具体的な実施例を使用することにより、別々に以下に詳細に記載される。
【００６３】
［実施例１］
図５を参照すると、本発明の実施例は、以下のステップを含んでもよい下りリンク送信方法を提供する。
【００６４】
501.基地局は、サブフレームn+kにおいて、下りリンク制御情報を端末に送出し、下りリンク制御情報は、指示情報及びハイブリッド自動再送要求（HARQ）プロセス識別情報（ID）を含み、指示情報は、サブフレームnにおいて基地局により端末に送出されたデータ情報内の少なくとも１つのOFDMシンボルの位置を示すために使用され、下りリンク制御情報内のHARQプロセスIDは、サブフレームnにおけるHARQプロセスIDと同じであり、n及びkの双方は自然数である。
【００６５】
このステップにおいて、基地局は、下りリンク制御情報内の指示情報を使用することにより、サブフレームn+kにおいて指示を端末に与え、サブフレームnにおける少なくとも１つのOFDMシンボルの位置を端末に通知し、それにより、端末は、指示情報に従って対応する動作を実行してもよい。例えば、指示情報により指示された少なくとも１つのOFDMシンボルの位置が、サブフレームnにおいて端末により受信されたデータ内のエラーデータを示す場合、端末は、指示情報に従ってエラー情報を破棄してもよい。
【００６６】
いくつかの実施例では、指示情報により指示された少なくとも１つのOFDMシンボルは、先取りされたOFDMシンボルでもよい。TTIとして異なる時間長を使用する複数の端末が共存するシナリオでは、例えば、1-ms  TTIを使用する端末がp-symbol  TTIを使用する端末と共存し、pが自然数であり且つ１つ以上のOFDMシンボルを示すシナリオでは、サブフレームnにおいて、比較的短いTTIを使用する端末が突発的な低遅延サービスを有するときに、基地局は、比較的長いTTIを使用する端末の少なくとも１つのOFDMシンボルを先取りしてもよい。３つのRBが先取りされた端末に割り当てられる例が使用される。周波数ドメインは合計で36個のサブキャリアを含み、１つのOFDMシンボルを先取りすることは、36個のREを先取りすることを意味する。先取りされたOFDMシンボル上で送信されたデータは、端末に属さず、したがって、端末の不正確な受信が引き起こされる。この場合、先取りされたOFDMシンボル上のデータは破棄されてもよい。いくつかの実施例では、他の理由で、基地局は、指示情報を使用することにより、端末に対してサブフレームnにおける少なくとも１つのOFDMシンボル上のデータを破棄するように命令してもよい点に留意すべきである。
【００６７】
任意選択で、本発明のいくつかの実施例では、下りリンク制御情報が拡張されてもよい。下りリンク制御情報にフィールドが追加されてもよく、フィールドが指示情報を搬送するために使用される。例えば、指示情報は、サブフレームn+kにおける下りリンク制御情報の拡張フィールドで搬送されてもよい。指示を与えるために下りリンク制御情報を拡張することは、実現が容易な方式であり、既存の通信ネットワークに比較的容易に適用されてもよく、動的な指示が実現できる。いくつかの他の実現方式では、より高いレイヤのシグナリングが指示情報を搬送するために使用されると考えられてもよい。
【００６８】
502.基地局は、サブフレームn+kにおいて、端末に送出され且つ指示情報により指示されたサブフレームnにおける少なくとも１つのOFDMシンボル上にあるデータを少なくとも送信する。
【００６９】
代替として、基地局は、サブフレームn+kにおいて、サブフレームnにおける部分データ又は全データを端末に再送する。再送されるデータはターゲットデータを含み、ターゲットデータは、端末に送出され且つ指示情報により指示されたサブフレームnにおける少なくとも１つのOFDMシンボル上にあるデータである。
【００７０】
指示情報により指示されたサブフレームnにおける少なくとも１つのOFDMシンボル上で実際に送信されたデータは、端末のデータではなく、指示情報により指示されたサブフレームnにおける少なくとも１つのOFDMシンボル上で基地局により端末に送出されるべきデータ（すなわち、ターゲットデータ）は、先取りのような理由で送信できないことが容易に理解される。したがって、基地局は、サブフレームn+kにおいてターゲットデータを端末に再送する。
【００７１】
端末によりフィードバックされたNACKが受信された後にデータがサブフレームn+8においてのみ再送される従来技術とは異なり、本発明のこの実施例では、ターゲットデータは、サブフレームn+kにおいて再送される。このように、再送遅延が低減できる。サブフレームnにおける全データ又は部分データのみが再送されてもよい。
【００７２】
503.端末は、サブフレームn+kにおいて基地局により送出された下りリンク制御情報を受信し、下りリンク制御情報は、指示情報及びハイブリッド自動再送要求HARQプロセス識別情報を含む。
【００７３】
504.端末は、端末に送出され且つ指示情報により指示されたサブフレームnにおける少なくとも１つのOFDMシンボル上にある、サブフレームn+kにおいて基地局により送信されたデータを受信する。
【００７４】
すなわち、端末は、サブフレームn+kにおいて基地局により再送されたサブフレームnにおける部分データ又は全データを受信する。再送されたデータは、ターゲットデータを含む。
【００７５】
505.端末は、指示情報に従って対応する動作を実行し、例えば、指示情報により指示された少なくとも１つのOFDMシンボル上にあり且つサブフレームnにおいて受信したデータ内にあるデータを破棄する。
【００７６】
端末は、サブフレームnにおいて受信したデータシンボル情報（すなわち、軟判定復号化の後に取得されたソフトビット情報ではなく、複数のOFDMシンボル上の直接受信したデータ）をバッファする必要があり、指示情報により指示されたサブフレームnにおける少なくとも１つのOFDMシンボル上のデータを破棄してもよく、それにより、受信エラーを回避し、より多くのエラー及びより高い再送遅延が以降のHARQ合成中に引き起こされるのを防止する。
【００７７】
506.端末は、サブフレームnにおいて受信したデータと、サブフレームn+kにおいて受信したデータとに対してジョイント復号化を実行する。
【００７８】
端末は、正確なデータを取得するために、サブフレームnにおいて受信したデータと、サブフレームn+kにおいて受信したデータとに対してジョイント復号化（例えば、軟判定復号化）を実行してもよい。サブフレームnにおけるエラーデータが事前に破棄されているため、ジョイント復号化及びHARQ合成が実行されるときに、合成利得が改善でき、合成成功率が増加できる。
【００７９】
サブフレームn及びサブフレームn+kを受信した後に、端末は、フィードバック情報を基地局に更に送出してもよい。フィードバック情報は、ACK又はNACKである。明細書では２つのフィードバック方式が提供される。一方は、従来のフィードバック方式と同じであり、他方は、サブフレームn+kにおけるタイミング関係に従って、サブフレームn及びサブフレームn+kについてフィードバック情報をフィードバックすることである。２つのフィードバック方式は、別々に以下に詳細に記載される。
【００８０】
FDD（Frequency  Division  Dual,  周波数分割複信）HARQについて
１つの方式では、端末は、サブフレームn+4及びサブフレームn+k+4において、サブフレームnについてのフィードバック情報と、サブフレームn+kについてのものとをそれぞれフィードバックする。この方式は、従来のフィードバック方式と同じである。
【００８１】
他の方式では、端末は、サブフレームn+k+4において、サブフレームn及びサブフレームn+kについてのフィードバック情報をフィードバックし、すなわち、２つのサブフレームn及びn+kについて、フィードバック情報は、サブフレームn+k+4において１回のみフィードバックされる。このようなフィードバック方式では、実際にフィードバック数が低減され、フィードバック方式が簡略化され、いくつかの上りリンク送信リソースが解放される。
【００８２】
TDD（Time  Division  Duplexing,  時分割複信）HARQについて
表１に示すように、表１は、TDD設定図であり、合計で7個の設定方式0〜6が図面に示されている。フレーム内の10個のサブフレーム0〜9の割り当て状態は、各設定方式において規定されており、Dは下りリンクを示し、Uは上りリンクを示し、Sはスペシャルサブフレームを示す。端末は、Uとして示されたサブフレーム上で上りリンク送信を実行してもよい。
【表１】
2019502321.tif 000003
表２に示すように、表２は、TDD  HARQタイミング関係を示す。TDDでは、複数の下りリンクサブフレームにおいて送出されるPDSCH（Physical  Downlink  Shared  Channel,  物理下りリンク共有チャネル）について、ACK又はNACKは、１つの上りリンクサブフレームにおいて応答される必要があってもよい。端末が下りリンクサブフレームn-qにおいてPDSCH送信を検出した場合、端末は、上りリンクサブフレームnにおいてACK又はNACKをフィードバックし、q∈Qである。異なるTDD設定について、Qは以下の表に示されている。
【表２】
2019502321.tif 000004
前述の表において、「-」は、ACK又はNACKがこのサブフレームにおいてフィードバックされることが許可されないことを示す。設定方式「1」が例として使用される。ACK又はNACKは、サブフレーム2、3、7及び8においてフィードバックされてもよく、フィードバックは、サブフレームn-6又はn-7についてサブフレーム2において与えられてもよい（nはサブフレームnのシーケンス番号を示す）。
【００８３】
明細書では２つのフィードバック方式がTDD  HARQについて提供される。この方式は、従来のフィードバック方式と同じである。
【００８４】
１つの方式では、前述の表２が照会され、フィードバック情報は、照会結果に従ってサブフレームn及びサブフレームn+kについて別々に送出される。
【００８５】
他の方式では、サブフレームn+kにおけるタイミング関係は、前述の表２を照会することにより決定され、サブフレームnについてのフィードバック及びサブフレームn+kについてのものは、対応するサブフレームにおいて同時にフィードバックされ、すなわち、フィードバック情報は、対応するサブフレームにおいて２つのサブフレームn及びn+kについて１回のみフィードバックされる。このようなフィードバック方式では、実際にフィードバック数が低減され、フィードバック方式が簡略化され、いくつかの上りリンク送信リソースが解放される。
【００８６】
基地局は、端末が正確な受信を実行したか否かを習得するために、サブフレームn+kにおけるタイミング関係に従って、サブフレームn及びサブフレームn+kについて端末によりフィードバックされたフィードバック情報を受信してもよい。
【００８７】
本発明のこの実施例では、先取りされたOFDMシンボルを示すために指示情報を使用する複数の方式が存在し、これらの方式は以下のいくつかの方式を含むが、これらに限定されない。
【００８８】
方式１：指示情報は、ビットマップファイル（bitmap）フォーマットの情報であり、指示情報内の各ビットは、データ情報を送信するために使用される１つのOFDMシンボルに対応し、対応するOFDMシンボルが指示されているか否かを示すために1又は0が使用される。例えば、1は対応するOFDMシンボルが指示されていることを示すために使用され、0は対応するOFDMシンボルが指示されていないことを示すために使用される。
【００８９】
normal  CPの場合、１つのサブフレームが14個のOFDMシンボルを含む例が使用される。この方式での指示のためにbitmapが使用されるときに、PDCCHにより占有されるOFDMシンボル（これらはパイロットとして使用されてもよく、例えば、３つのOFDMシンボルが存在する）は先取りされないため、３つのOFDMシンボルは考えられなくてもよい。残りの11個のOFDMシンボルは、11ビット（bit）のbitmapを使用することにより指示され、各ビットは、１つのOFDMシンボルが先取りされるか否かを示す。例えば、1はOFDMシンボルが先取りされることを示し、0はOFDMシンボルが先取りされないことを示す。
【００９０】
方式２：方式１と同様に、指示情報は依然としてbitmapフォーマットの情報であるが、指示情報内の各ビットは、データ情報を送信するために使用されるOFDMシンボルの１つのグループに対応し、OFDMシンボルのグループは、少なくとも２つの連続するOFDMシンボルを含み、OFDMシンボルの対応するグループが指示されているか否かを示すために1又は0が使用される。すなわち、bitmapが指示のために使用され、シンボルグループ方式が表現のために使用される。例えば、OFDMシンボル3及び4が１つのグループ内にあり、グループが先取りされるか否かを示すために１ビットが使用される。
【００９１】
方式３：方式２と同様に、指示情報は依然としてビットマップファイルbitmapフォーマットの情報であるが、指示情報内の各ビットは、データ情報を送信するために使用される２つのOFDMシンボルに対応する。しかし、２つのOFDMシンボルは、サブフレームnにおける２つのタイムスロット（slot）内にあり且つ同じシーケンス番号を有する２つのOFDMシンボルである。換言すると、２つのslotから除去されたOFDMシンボルの位置が同じであり、１つのslotのbitmapを示すと考えられてもよい。
【００９２】
方式４：指示情報は、データ情報を送信するために使用される複数の連続するOFDMシンボルの開始位置を含み、複数の連続するOFDMシンボルの終了位置又は長さを更に含む。
【００９３】
例えば、基地局が連続するOFDMシンボルのみを先取りできるという制限が存在してもよく、端末は、指示情報において、連続する先取りされたOFDMシンボルの開始位置（すなわち、第１の先取りされたOFDMシンボルのシーケンス番号）及び長さ（すなわち、連続する先取りされたOFDMシンボル数）を通知される。
【００９４】
基地局が連続するOFDMシンボルの最大で２つの区分を先取りできるという制限が存在する場合、端末は、指示情報において、連続する先取りされたOFDMシンボルの２つの区分のそれぞれの開始位置（すなわち、第１の先取りされたOFDMシンボルのシーケンス番号）及び終了位置（すなわち、最後の先取りされたOFDMシンボルのシーケンス番号）、又は２つの区分のそれぞれの開始位置及び長さを通知されてもよい。
【００９５】
kは8より大きくない自然数、例えば、1、2又は3でもよい点に留意すべきである。いくつかの実施例では、kは、RTT（Round-TripTime,  ラウンドトリップ時間）に設定されてもよく、すなわち、新たな下りリンク制御情報が配信されるタイムスロットは、HARQプロセスにより再送される下りリンク制御情報が配信されるタイムスロットと同じであり、新たな下りリンク制御情報は、HARQプロセスの再送情報を搬送してもよい。例えば、k=8であり、新たな下りリンク制御情報（サブフレームnにおけるOFDMシンボルの位置を示す下りリンク制御情報を含む）は、サブフレームn+8において送出される。元の下りリンク制御情報は送信される必要はなく、再送情報は、新たな下りリンク制御情報に入れられる。
【００９６】
前述から、本発明のいくつかの実現可能な実現方式において、指示情報は、端末に対して少なくとも１つの指示されたOFDMシンボル上のデータに対して対応する動作を実行するように命令するため、例えば、端末に対してサブフレームnにおいて少なくとも１つのOFDMシンボル上で受信したエラーデータを破棄するように命令するために使用され、それにより、受信エラーが回避でき、受信性能が改善できることが習得され得る。サブフレームnにおける部分データ又は全データは、サブフレームn+kにおいて再送され、再送されるデータは、端末に送出され且つ指示情報により指示されたサブフレームnにおける少なくとも１つのOFDMシンボル上にあるデータを含む。したがって、端末の正確な受信が確保され、さらに、再送遅延はk個のサブフレームの長さであるため、再送遅延が低減される。さらに、端末は、サブフレームnにおいて受信したデータと、サブフレームn+kにおいて受信したデータとに対してジョイント復号化を実行してもよく、それにより、受信性能を更に改善する。ジョイント復号化（すなわち、HARQ合成）の間に、サブフレームnにおけるエラーデータが事前に破棄されているため、合成利得が改善でき、成功率が増加できる。要するに、端末の正確な受信の成功率が有効に増加し、再送遅延が低減され、端末の受信性能が改善される。
【００９７】
本発明のこの実施例では、サブフレームn+kにおいてサブフレームnにおける部分データ又は全データを再送する複数の再送方式が存在してもよい。以下に、いくつかの再送方式を更に説明するために複数の具体的なシナリオにおける実現方式を例として使用する。
【００９８】
再送方式１：
この実施例では、基地局により、サブフレームn+kにおいて、端末に送出され且つ指示情報により指示されたサブフレームnにおける少なくとも１つのOFDMシンボル上にあるデータを少なくとも送信するプロセスは、基地局により、サブフレームn+kにおいて、サブフレームnにおける全データを端末に再送することを含む。さらに、サブフレームn+k及びサブフレームnにおいて同じHARQプロセスIDが使用される。以下に説明のために例を使用する。
【００９９】
図６を参照すると、基地局は、サブフレームnにおいてUE1の下りリンクデータを送信し、低遅延サービスは、サブフレームnにおける第５のシンボル上で送信される必要がある。低遅延サービスのための遅延要件を確保するために、基地局は、UE1により使用されるRB内で、OFDMシンボル5及びOFDMシンボル6上のサブキャリアを先取りする。
【０１００】
k=1である例が使用される。サブフレームn+1において、基地局は、UE1に送出された下りリンク制御情報に対する指示情報を含め、基地局により先取りされたサブフレームnにおけるUE1のOFDMシンボルの位置を示す。さらに、サブフレームn+1において、基地局は、サブフレームnにおける全データをUE1に再送し、同じHARQプロセスIDを使用する。サブフレーム長は1msであるため、前の1ms内のデータと同一のデータが次のサブフレームにおいて送出されると考えられてもよい。
【０１０１】
UEがサブフレームn+1において下りリンク制御情報を受信し、サブフレームnにおける先取りされたOFDMシンボルの位置を習得した場合、UEは、サブフレームnにおけるOFDMシンボル5及びOFDMシンボル6上で受信したデータを除去し、次に、サブフレームnにおいて受信したデータと、サブフレームn+1において受信したデータとに対して合成、復調及び復号化を実行する。
【０１０２】
データをUEに送出する前に、基地局は元のデータを変調及び符号化する必要があり、変調及び符号化されたデータを、下りリンク送信のために下りリンクデータフレーム内の複数のRE上にマッピングする点に留意すべきである。復調及び復号化の後に、UEは、データの元の情報を取得してもよい。
【０１０３】
この実施例では、サブフレームnにおける全データがサブフレームn+kにおいて再送される。したがって、サブフレームnにおける変調及び符号化方式と同じもの又は異なるものがサブフレームn+kにおいて使用されてもよい。
【０１０４】
この実施例では、下りリンクサブフレームを受信した後に、UEは、複数のサブフレームにおける合成、復調及び復号化のためにデータの元の時間周波数ドメインの情報をバッファし、それにより、受信性能を改善する。
【０１０５】
この実施例では、ターゲットデータのみではなく、サブフレームnにおける全データがサブフレームn+kにおいて再送され、それにより、合成、復調及び復号化の成功率はより高くなる。
【０１０６】
再送方式２：
この実施例では、基地局により、サブフレームn+kにおいて、端末に送出され且つ指示情報により指示されたサブフレームnにおける少なくとも１つのOFDMシンボル上にあるデータを少なくとも送信するプロセスは、サブフレームn+kにおいて、基地局により、端末に送出され且つ指示情報により指示されたサブフレームnにおける少なくとも１つのOFDMシンボル上にある変調及び符号化されたデータを、少なくとも１つのリソースブロックRBに追加し、データを端末に再送することを含む。以下に説明のために例を使用する。
【０１０７】
図７を参照すると、基地局は、サブフレームnにおいてUE1の下りリンクデータを送信し、低遅延サービスは、サブフレームnにおける第５のOFDMシンボル上で送信される必要がある。低遅延サービスのための遅延要件を確保するために、基地局は、UE1により使用されるRB内で、OFDMシンボル5及びOFDMシンボル6上のサブキャリアを先取りする。
【０１０８】
k=1である例が使用される。サブフレームn+1において、基地局は、UE1に送出された下りリンク制御情報に対する指示情報を含め、基地局により先取りされたサブフレームnにおけるUE1のOFDMシンボルの位置を示す。
【０１０９】
この実施例では、基地局は、サブフレームn+1において、全データではなく、サブフレームnにおいて先取りされたOFDMシンボル上のターゲットデータのみを再送する。したがって、サブフレームnにおける変調及び符号化方式と同じものがサブフレームn+1において使用される必要があり、すなわち、ターゲットデータは、サブフレームnにおいて指示情報により指示された少なくとも１つのOFDMシンボル上にマッピングされた変調及び符号化されたデータである。
【０１１０】
すなわち、少なくとも１つのOFDMシンボルが先取りされた後にサブフレームnにおいて送出されていないデータ（すなわち、この実施例におけるOFDMシンボル5及びOFDMシンボル6上で搬送されるデータ）は、サブフレームn+1において送出される必要がある。サブフレームnにおけるデータは変調及び符号化され、次に、REにマッピングされる。OFDMシンボル5及びOFDMシンボル6上にマッピングされた情報は、サブフレームn+1において送出され、変調及び符号化はサブフレームn+1において実行される必要はない。例えば、72個のREが先取りされた場合、サブフレームnにおいて送信されておらず且つ先取りされた72個のRE上にある情報は、72個のREを使用することにより、サブフレームn+1において送出される。サブフレーム長は1msであるため、前の1msにおけるシンボル5及び6上にあるデータが次のサブフレームにおいて送出されると考えられてもよい。
【０１１１】
例えば、サブフレームnにおいて、基地局は３つのRB（周波数ドメインにおいて36個のサブキャリアを占有する）をUE1に割り当て、OFDMシンボル5及びOFDMシンボル6上のREを先取りし、すなわち、合計で72個のREを先取りする。サブフレームn+1において、基地局は、72個のRE上で変調及び符号化されたデータをUE1に送出するために、１つのRB（72個以上のデータREを有する）を使用してもよい。マッピング順序は、最初に周波数ドメインであり、最後に時間ドメインである。任意選択で、残りの割り当てられていないアイドルのREは、0で埋められてもよく、或いはRB内の全てのREが占有されるまで、72個のRE上のターゲットデータが埋めるためにコピーされ、それにより、受信性能を改善する。
【０１１２】
UEがサブフレームn+1において下りリンク制御情報を受信し、サブフレームnにおける先取りされたOFDMシンボルの位置を習得した場合、UEは、対応するOFDMシンボル上で受信し且つサブフレームnにおいて受信したデータ内にあるデータを除去し、次に、サブフレームnにおいて受信したデータと、サブフレームn+1において受信したデータとに対して合成、復調及び復号化を実行する。この実施例では、下りリンクサブフレームを受信した後に、UEは、複数のサブフレームにおける合成、復調及び復号化のためにデータの元の時間周波数ドメインの情報をバッファし、それにより、受信性能を改善することが習得され得る。
【０１１３】
ターゲットデータを再送するためにサブフレームn+kにおいて使用されていない他のRBは、使用のために他のUEに割り当てられてもよく、それにより、サブフレームn+kの利用効率が改善できる点に留意すべきである。
【０１１４】
再送方式３：
この実施例では、基地局により、サブフレームn+kにおいて、端末に送出され且つ指示情報により指示されたサブフレームnにおける少なくとも１つのOFDMシンボル上にあるデータを少なくとも送信するプロセスは、サブフレームn+kにおいて、基地局により、端末に送出され且つ指示情報により指示されたサブフレームnにおける少なくとも１つのOFDMシンボル上にある変調及び符号化されたデータを、少なくとも１つのOFDMシンボルに追加し、データを端末に再送することを含む。以下に説明のために例を使用する。
【０１１５】
図８を参照すると、基地局は、サブフレームnにおいて端末1の下りリンクデータを送信し、低遅延サービスは、サブフレームnにおける第５のOFDMシンボル上で送信される必要がある。低遅延サービスのための遅延要件を確保するために、基地局は、端末1により使用されるRB内で、シンボル5及びシンボル6上のサブキャリアを先取りする。
【０１１６】
k=1である例が使用される。サブフレームn+1において、基地局は、端末1に送出された下りリンク制御情報に対する指示情報を含め、基地局により先取りされたサブフレームnにおける端末1のOFDMシンボル5及びOFDMシンボル6の位置を示す。
【０１１７】
シナリオ２と同様に、この実施例では、基地局は、サブフレームn+1において、全データではなく、サブフレームnにおいて先取りされたOFDMシンボル上のターゲットデータのみを再送する。したがって、サブフレームnにおける変調及び符号化方式と同じものがサブフレームn+1において使用される必要があり、すなわち、ターゲットデータは、サブフレームnにおいて指示情報により指示された少なくとも１つのOFDMシンボル上にマッピングされた変調及び符号化されたデータである。サブフレーム長は1msであるため、前の1ms内のデータが次のサブフレームにおいて少なくとも１つのOFDMシンボル上で送出されると考えられてもよい。さらに、送出されていないデータは、前の1ms内で先取りされたOFDMシンボル上のみで送出され、UEは、依然として1-ms  TTIに従ってデータを受信するが、シンボル5及びシンボル6上でのみデータを取得する。
【０１１８】
この実施例では、サブフレームn+1において使用されるRB数は、サブフレームnにおけるRB数と同じであるが、送出されておらず且つUE1の先取りされたOFDMシンボル上にあるターゲットデータは、k個のOFDMシンボルのみで送信され、kは自然数であり、サブフレームnにおける先取りされたOFDMシンボル数に等しい。k個のOFDMシンボルの位置は、以下の方式になってもよい。
【０１１９】
方式１：k個のOFDMシンボルの位置は、サブフレームnにおける先取りされたOFDMシンボルの位置と同じである。この方式は、予め規定された方式である。k個のOFDMシンボルの位置がサブフレームnにおける先取りされたOFDMシンボルの位置と同じであることが予め規定される。例えば、OFDMシンボル5及びOFDMシンボル6がサブフレームnにおいて先取りされるときに、サブフレームnにおいて送出されていないデータは、サブフレームn+1においてOFDMシンボル5及びOFDMシンボル6上で送出される。
【０１２０】
方式２：k個のOFDMシンボルの位置は、サブフレームnにおける先取りされたOFDMシンボルの位置と異なり、下りリンク制御情報を使用することにより指示される。この場合、指示情報は、サブフレームn+1における再送に使用されるOFDMシンボルの位置を示するために更に使用される。
【０１２１】
UEは、サブフレームn+1において、予め規定されるか或いは基地局により指示されたk個のOFDMシンボル上でデータを受信し、サブフレームn+1において受信したデータと、サブフレームnにおいて受信したデータ（先取りされたOFDMシンボル上のデータを除く）とに対してジョイント復号化を実行する。この実施例では、下りリンクサブフレームを受信した後に、UEは、複数のサブフレームにおける合成、復調及び復号化のためにデータの元の時間周波数ドメインの情報をバッファし、それにより、受信性能を改善することが習得され得る。
【０１２２】
この実施例では、同じ数のOFDMシンボルがターゲットデータを再送するために使用され、ターゲットデータは同じ方式で２つのサブフレームにおいて搬送され、それにより、受信速度及びジョイント復号化効率を改善する。
【０１２３】
本発明の下りリンク送信方法について、いくつかの実施例を使用することにより前述し、方法におけるいくつかの再送方式について説明した。マルチサブフレームのジョイント送信を用いて、サブフレームnにおける少なくとも１つのOFDMシンボルの位置は、サブフレームn+1における下りリンク制御情報内で指示され、それにより、端末は、指示情報に従って対応する動作を実行し、例えば、サブフレームnにおける少なくとも１つの指示されたOFDMシンボル上で受信したデータを破棄し、サブフレームn+kにおいて、サブフレームnにおける部分データ又は全データを再送してもよい。したがって、端末の正確な受信が確保され、遅延が低減され、低遅延サービスが端末のデータREを先取りする理由で端末の送信の失敗及び遅延の増加が引き起こされるという従来技術の技術的課題が解決される。
【０１２４】
本発明の実施例における前述の解決策をより良く実現するために、以下に、前述の解決策を連携して実現するように構成された関係する装置を更に提供する。
【０１２５】
［実施例２］
図９を参照すると、本発明の実施例は、基地局900を提供し、
サブフレームn+kにおいて、下りリンク制御情報を端末に送出するように構成された送出モジュール901であり、下りリンク制御情報は、指示情報及びハイブリッド自動再送要求HARQプロセス識別情報を含み、指示情報は、サブフレームnにおいて基地局により端末に送出されたデータ内の少なくとも１つの直交周波数分割多重OFDMシンボルの位置を示すために使用され、下りリンク制御情報内のHARQプロセス識別情報は、サブフレームnにおけるHARQプロセス識別情報と同じであり、n及びkの双方は自然数である送出モジュール901と、
サブフレームn+kにおいて、端末に送出され且つ指示情報により指示されたサブフレームnにおける少なくとも１つのOFDMシンボル上にあるデータを少なくとも送信するように構成された送信モジュール902と
を含んでもよい。
【０１２６】
いくつかの実施例では、送信モジュール902は、基地局により、サブフレームn+kにおいて、サブフレームnにおける全データを端末に再送するように具体的に構成される。
【０１２７】
いくつかの実施例では、送信モジュール902は、サブフレームn+kにおいて、端末に送出され且つ指示情報により指示されたサブフレームnにおける少なくとも１つのOFDMシンボル上にある変調及び符号化されたデータを、少なくとも１つのリソースブロックに追加し、データを端末に再送するように具体的に構成される。
【０１２８】
いくつかの実施例では、基地局900は、
少なくとも１つのリソースブロックのアイドルのリソースエレメントを0で埋めるように構成された処理モジュール903を更に含む。
【０１２９】
いくつかの実施例では、送信モジュール902は、サブフレームn+kにおいて、端末に送出され且つ指示情報により指示されたサブフレームnにおける少なくとも１つのOFDMシンボル上にある変調及び符号化されたデータを、少なくとも１つのOFDMシンボルに追加し、データを端末に再送するように具体的に構成される。
【０１３０】
いくつかの実施例では、サブフレームn+kにおける再送に使用されるOFDMシンボルの位置は、指示情報により指示されたOFDMシンボルの位置と同じであるか、或いはサブフレームn+kにおける再送に使用されるOFDMシンボルの位置は、指示情報により指示されたOFDMシンボルの位置と異なり、指示情報は、サブフレームn+kにおける再送に使用されるOFDMシンボルの位置を示すために更に使用される。
【０１３１】
いくつかの実施例では、指示情報は、ビットマップファイルbitmapフォーマットの情報であり、
指示情報内の各ビットは、データを送信するために使用される１つのOFDMシンボルに対応し、対応するOFDMシンボルが指示されているか否かを示すために1又は0が使用されるか、或いは
指示情報内の各ビットは、データを送信するために使用されるOFDMシンボルの１つのグループに対応し、OFDMシンボルの対応するグループが指示されているか否かを示すために1又は0が使用され、OFDMシンボルのグループは、少なくとも２つの連続するOFDMシンボルを含むか、或いは
指示情報内の各ビットは、データを送信するために使用される２つのOFDMシンボルに対応し、２つの対応するOFDMシンボルが指示されているか否かを示すために1又は0が使用され、２つのOFDMシンボルは、サブフレームnにおける２つのタイムスロット内にあり且つ同じシーケンス番号を有する２つのOFDMシンボルである。
【０１３２】
いくつかの実施例では、指示情報は、データを送信するために使用される複数の連続するOFDMシンボルの開始位置を含み、複数の連続するOFDMシンボルの終了位置又は長さを更に含む。
【０１３３】
いくつかの実施例では、基地局900は、
サブフレームnにおいて端末の少なくとも１つのOFDMシンボルを先取りするように構成されたスケジューリングモジュール904であり、指示情報は、少なくとも１つの先取りされたOFDMシンボルの位置を示すために具体的に使用されるスケジューリングモジュール904を更に含む。
【０１３４】
いくつかの実施例では、基地局900は、
サブフレームn+kにおけるタイミング関係に従って、サブフレームn及びサブフレームn+kについて端末によりフィードバックされたフィードバック情報を受信するように構成された受信モジュール905であり、フィードバック情報は、肯定応答ACK又は否定応答NACKである受信モジュール905を更に含む。
【０１３５】
基地局900の機能モジュールは、具体的なハードウェア構成に対応してもよい点に留意すべきである。例えば、送出モジュール901及び送信モジュール902は送信機に対応してもよく、処理モジュール903及びスケジューリングモジュール904はプロセッサに対応してもよく、受信モジュール905は受信機に対応してもよい。機能モジュールは、これらのそれぞれ対応するハードウェアユニットにより実現されてもよい。
【０１３６】
本発明のこの実施例における基地局の機能モジュールの機能は、前述の方法の実施例における方法に従って具体的に実現されてもよいことが理解され得る。その具体的な実現プロセスについて、前述の方法の実施例における関係する説明を参照する。詳細はここでは再び説明しない。
【０１３７】
前述から、本発明のいくつかの実現可能な実現方式において、基地局がサブフレームn+kにおいて端末に指示情報を送出し、端末に対して指示情報に従って対応する動作を実行するように、例えば、サブフレームnにおける少なくとも１つの指示されたOFDMシンボル上で受信したデータを破棄するように命令し、サブフレームn+kにおいてデータを端末に再送することが習得され得る。したがって、端末の正確な受信が確保され、再送遅延が低減され、端末の受信性能が改善される。
【０１３８】
［実施例３］
図１０を参照すると、本発明の実施例は、端末1000を提供し、
サブフレームn+kにおいて基地局により送出された下りリンク制御情報を受信するように構成された情報受信モジュール1001であり、n及びkの双方は自然数であり、下りリンク制御情報は、指示情報及びハイブリッド自動再送要求HARQプロセス識別情報を含み、指示情報は、サブフレームnにおいて基地局により端末に送出されたデータ内の少なくとも１つの直交周波数分割多重OFDMシンボルの位置を示すために使用され、下りリンク制御情報内のHARQプロセス識別情報は、サブフレームnにおけるHARQプロセス識別情報と同じである情報受信モジュール1001と、
端末に送出され且つ指示情報により指示されたサブフレームnにおける少なくとも１つのOFDMシンボル上にある、サブフレームn+kにおいて基地局により送信されたデータを受信するように構成されたデータ受信モジュール1002と、
指示情報に従って、指示情報により指示された少なくとも１つのOFDMシンボル上にあり且つサブフレームnにおいて受信したデータ内にあるデータを破棄するように構成されたデータ処理モジュール1003と、
サブフレームnにおいて受信したデータと、サブフレームn+kにおいて受信したデータとに対してジョイント復号化を実行するように構成された復号化モジュール1004と
を含んでもよい。
【０１３９】
いくつかの実施例では、端末1000は、
サブフレームn+kにおけるタイミング関係に従って、サブフレームn及びサブフレームn+kについてフィードバック情報をフィードバックするように構成されたフィードバックモジュール1005であり、フィードバック情報は、肯定応答ACK又は否定応答NACKであるフィードバックモジュール1005を更に含む。
【０１４０】
いくつかの実施例では、指示情報は、サブフレームnにおいて基地局により先取りされた端末の少なくとも１つのOFDMシンボルの位置を示すために具体的に使用される。
【０１４１】
いくつかの実施例では、データ受信モジュール1002は、サブフレームn+kにおいて基地局により再送されたサブフレームnにおける全データを受信するように具体的に構成される。
【０１４２】
いくつかの実施例では、データ受信モジュール1002は、端末に送出され且つ指示情報により指示されたサブフレームnにおける少なくとも１つのOFDMシンボル上にある、サブフレームn+kにおいて少なくとも１つのリソースブロック内で基地局により再送された変調及び符号化されたデータを受信するように具体的に構成される。
【０１４３】
いくつかの実施例では、少なくとも１つのリソースブロックのアイドルのリソースエレメントREは、0で埋められる。
【０１４４】
いくつかの実施例では、データ受信モジュール1002は、端末に送出され且つ指示情報により指示されたサブフレームnにおける少なくとも１つのOFDMシンボル上にある、サブフレームn+kにおいて少なくとも１つのOFDMシンボル上で基地局により再送された変調及び符号化されたデータを受信するように具体的に構成される。
【０１４５】
いくつかの実施例では、サブフレームn+kにおける再送に使用されるOFDMシンボルの位置は、指示情報により指示されたOFDMシンボルの位置と同じであるか、或いはサブフレームn+kにおける再送に使用されるOFDMシンボルの位置は、指示情報により指示されたOFDMシンボルの位置と異なり、指示情報は、サブフレームn+kにおける再送に使用されるOFDMシンボルの位置を示すために更に使用される。
【０１４６】
いくつかの実施例では、指示情報は、ビットマップファイルbitmapフォーマットの情報であり、
指示情報内の各ビットは、データ情報を送信するために使用される１つのOFDMシンボルに対応し、対応するOFDMシンボルが先取りされるか否かを示すために1又は0が使用されるか、或いは
指示情報内の各ビットは、データ情報を送信するために使用されるOFDMシンボルの１つのグループに対応し、OFDMシンボルの対応するグループが先取りされるか否かを示すために1又は0が使用され、OFDMシンボルのグループは、少なくとも２つの連続するOFDMシンボルを含むか、或いは
指示情報内の各ビットは、データ情報を送信するために使用される２つのOFDMシンボルに対応し、２つの対応するOFDMシンボルが先取りされるか否かを示すために1又は0が使用され、２つのOFDMシンボルは、サブフレームnにおける２つのタイムスロット内にあり且つ同じシーケンス番号を有する２つのOFDMシンボルである。
【０１４７】
いくつかの実施例では、指示情報は、データ情報を送信するために使用される複数の連続するOFDMシンボルの開始位置を含み、複数の連続する先取りされたOFDMシンボルの終了位置又は長さを更に含む。
【０１４８】
端末1000の機能モジュールは、具体的なハードウェア構成に対応してもよい点に留意すべきである。例えば、情報受信モジュール1001及びデータ受信モジュール1002は受信機に対応してもよく、データ処理モジュール1003は受信機又はプロセッサに対応してもよく、復号化モジュール1004はプロセッサに対応してもよく、フィードバックモジュール1005は送信機に対応してもよい。機能モジュールは、これらのそれぞれ対応するハードウェアユニットにより実現されてもよい。
【０１４９】
本発明のこの実施例における基地局の機能モジュールの機能は、前述の方法の実施例における方法に従って具体的に実現されてもよいことが理解され得る。その具体的な実現プロセスについて、前述の方法の実施例における関係する説明を参照する。詳細はここでは再び説明しない。
【０１５０】
前述から、本発明のいくつかの実現可能な実現方式において、基地局がサブフレームn+kにおいて端末に指示情報を送出し、端末に対して指示情報に従って対応する動作を実行するように、例えば、サブフレームnにおける少なくとも１つの指示されたOFDMシンボル上で受信したデータを破棄するように命令し、サブフレームn+kにおいてデータを端末に再送することが習得され得る。したがって、端末の正確な受信が確保され、再送遅延が低減され、端末の受信性能が改善される。
【０１５１】
［実施例４］
図１１を参照すると、本発明の実施例は、基地局1100を提供し、基地局1100は、
サブフレームn+kにおいて、下りリンク制御情報を端末に送出するように構成された送信機1101であり、下りリンク制御情報は、指示情報及びハイブリッド自動再送要求HARQプロセス識別情報を含み、指示情報は、サブフレームnにおいて基地局により端末に送出されたデータ内の少なくとも１つの直交周波数分割多重OFDMシンボルの位置を示すために使用され、下りリンク制御情報内のHARQプロセス識別情報は、サブフレームnにおけるHARQプロセス識別情報と同じであり、n及びkの双方は自然数である送信機1101を含んでもよく、
送信機1101は、サブフレームn+kにおいて、端末に送出され且つ指示情報により指示されたサブフレームnにおける少なくとも１つのOFDMシンボル上にあるデータを少なくとも送信するように更に構成される。
【０１５２】
いくつかの実施例では、送信機1101は、サブフレームn+kにおいて、サブフレームnにおける全データを端末に再送するように具体的に構成される。
【０１５３】
いくつかの実施例では、送信機1101は、サブフレームn+kにおいて、端末に送出され且つ指示情報により指示されたサブフレームnにおける少なくとも１つのOFDMシンボル上にある変調及び符号化されたデータを、少なくとも１つのリソースブロックに追加し、データを端末に再送するように具体的に構成される。
【０１５４】
いくつかの実施例では、基地局1100は、少なくとも１つのリソースブロックのアイドルのリソースエレメントREを0で埋めるように構成されたプロセッサ1102を更に含んでもよい。
【０１５５】
いくつかの実施例では、送信機1101は、サブフレームn+kにおいて、端末に送出され且つ指示情報により指示されたサブフレームnにおける少なくとも１つのOFDMシンボル上にある変調及び符号化されたデータを、少なくとも１つのOFDMシンボルに追加し、データを端末に再送するように具体的に構成される。
【０１５６】
いくつかの実施例では、サブフレームn+kにおける再送に使用されるOFDMシンボルの位置は、指示情報により指示されたOFDMシンボルの位置と同じであるか、或いはサブフレームn+kにおける再送に使用されるOFDMシンボルの位置は、指示情報により指示されたOFDMシンボルの位置と異なり、指示情報は、サブフレームn+kにおける再送に使用されるOFDMシンボルの位置を示すために更に使用される。
【０１５７】
いくつかの実施例では、指示情報は、ビットマップファイルbitmapフォーマットの情報であり、
指示情報により指示された各ビットは、データ情報を送信するために使用される１つのOFDMシンボルに対応し、対応するOFDMシンボルが指示されているか否かを示すために1又は0が使用されるか、或いは
指示情報により指示された各ビットは、データ情報を送信するために使用されるOFDMシンボルの１つのグループに対応し、OFDMシンボルの対応するグループが指示されているか否かを示すために1又は0が使用され、OFDMシンボルのグループは、少なくとも２つの連続するOFDMシンボルを含むか、或いは
指示情報により指示された各ビットは、データ情報を送信するために使用される２つのOFDMシンボルに対応し、２つの対応するOFDMシンボルが指示されているか否かを示すために1又は0が使用され、２つのOFDMシンボルは、サブフレームnにおける２つのタイムスロット内にあり且つ同じシーケンス番号を有する２つのOFDMシンボルである。
【０１５８】
いくつかの実施例では、指示情報は、データ情報を送信するために使用される複数の連続するOFDMシンボルの開始位置を含み、複数の連続するOFDMシンボルの終了位置又は長さを更に含む。
【０１５９】
いくつかの実施例では、プロセッサ1102は、サブフレームnにおいて端末の少なくとも１つのOFDMシンボルを先取りするように更に構成され、指示情報は、少なくとも１つの先取りされたOFDMシンボルの位置を示すために具体的に使用される。
【０１６０】
いくつかの実施例では、基地局1100は、サブフレームn+kにおけるタイミング関係に従って、サブフレームn及びサブフレームn+kについて端末によりフィードバックされたフィードバック情報を受信するように構成された受信機1103であり、フィードバック情報は、肯定応答ACK又は否定応答NACKである受信機1103を更に含んでもよい。
【０１６１】
本発明のこの実施例における基地局の機能モジュールの機能は、前述の方法の実施例における方法に従って具体的に実現されてもよいことが理解され得る。その具体的な実現プロセスについて、前述の方法の実施例における関係する説明を参照する。詳細はここでは再び説明しない。
【０１６２】
前述から、本発明のいくつかの実現可能な実現方式において、マルチサブフレームのジョイント送信を用いて、サブフレームnにおける少なくとも１つのOFDMシンボルの位置は、サブフレームn+1における下りリンク制御情報内で指示され、それにより、端末は、指示情報に従って対応する動作を実行し、例えば、サブフレームnにおける少なくとも１つの指示されたOFDMシンボル上で受信したデータを破棄し、サブフレームn+kにおいて、サブフレームnにおける部分データ又は全データを再送してもよいことが習得され得る。したがって、端末の正確な受信が確保され、遅延が低減され、低遅延サービスが端末のデータREを先取りする理由で端末の送信の失敗及び遅延の増加が引き起こされるという従来技術の技術的課題が解決される。
【０１６３】
［実施例５］
図１２を参照すると、本発明の実施例は、端末1200を提供し、
サブフレームn+kにおいて基地局により送出された下りリンク制御情報を受信するように構成された受信機1201であり、n及びkの双方は自然数であり、下りリンク制御情報は、指示情報及びHARQプロセス識別情報を含み、指示情報は、サブフレームnにおいて基地局により端末に送出されたデータ内の少なくとも１つの直交周波数分割多重OFDMシンボルの位置を示すために使用され、下りリンク制御情報内のHARQプロセス識別情報は、サブフレームnにおけるHARQプロセス識別情報と同じである受信機1201を含んでもよく、
受信機1201は、端末に送出され且つ指示情報により指示されたサブフレームnにおける少なくとも１つのOFDMシンボル上にある、サブフレームn+kにおいて基地局により送信されたデータを受信するように更に構成され、
受信機1201は、指示情報に従って、指示情報により指示された少なくとも１つのOFDMシンボル上にあり且つサブフレームnにおいて受信したデータ内にあるデータを破棄するように更に構成され、
サブフレームnにおいて受信したデータと、サブフレームn+kにおいて受信したデータとに対してジョイント復号化を実行するように構成されたプロセッサ1202を含んでもよい。
【０１６４】
いくつかの実施例では、端末1200は、サブフレームn+kにおけるタイミング関係に従って、サブフレームn及びサブフレームn+kについてフィードバック情報をフィードバックするように構成された送信機1203であり、フィードバック情報は、肯定応答ACK又は否定応答NACKである送信機1203を更に含む。
【０１６５】
いくつかの実施例では、指示情報は、サブフレームnにおいて基地局により先取りされた端末の少なくとも１つのOFDMシンボルの位置を示すために具体的に使用される。
【０１６６】
いくつかの実施例では、受信機1201は、サブフレームn+kにおいて基地局により再送されたサブフレームnにおける全データを受信するように具体的に構成される。
【０１６７】
いくつかの実施例では、受信機1201は、端末に送出され且つ指示情報により指示されたサブフレームnにおける少なくとも１つのOFDMシンボル上にある、サブフレームn+kにおいて少なくとも１つのリソースブロック内で基地局により再送された変調及び符号化されたデータを受信するように具体的に構成される。
【０１６８】
いくつかの実施例では、少なくとも１つのリソースブロックのアイドルのリソースエレメントREは、0で埋められる。
【０１６９】
いくつかの実施例では、受信機1201は、端末に送出され且つ指示情報により指示されたサブフレームnにおける少なくとも１つのOFDMシンボル上にある、サブフレームn+kにおいて少なくとも１つのOFDMシンボル上で基地局により再送された変調及び符号化されたデータを受信するように具体的に構成される。
【０１７０】
いくつかの実施例では、サブフレームn+kにおける再送に使用されるOFDMシンボルの位置は、指示情報により指示されたOFDMシンボルの位置と同じであるか、或いはサブフレームn+kにおける再送に使用されるOFDMシンボルの位置は、指示情報により指示されたOFDMシンボルの位置と異なり、指示情報は、サブフレームn+kにおける再送に使用されるOFDMシンボルの位置を示すために更に使用される。
【０１７１】
いくつかの実施例では、指示情報は、ビットマップファイルbitmapフォーマットの情報であり、
指示情報により指示された各ビットは、データ情報を送信するために使用される１つのOFDMシンボルに対応し、対応するOFDMシンボルが指示されているか否かを示すために1又は0が使用されるか、或いは
指示情報により指示された各ビットは、データ情報を送信するために使用されるOFDMシンボルの１つのグループに対応し、OFDMシンボルの対応するグループが指示されているか否かを示すために1又は0が使用され、OFDMシンボルのグループは、少なくとも２つの連続するOFDMシンボルを含むか、或いは
指示情報により指示された各ビットは、データ情報を送信するために使用される２つのOFDMシンボルに対応し、２つの対応するOFDMシンボルが指示されているか否かを示すために1又は0が使用され、２つのOFDMシンボルは、サブフレームnにおける２つのタイムスロット内にあり且つ同じシーケンス番号を有する２つのOFDMシンボルである。
【０１７２】
いくつかの実施例では、指示情報は、データ情報を送信するために使用される複数の連続するOFDMシンボルの開始位置を含み、複数の連続する先取りされたOFDMシンボルの終了位置又は長さを更に含む。
【０１７３】
本発明のこの実施例における基地局のモジュールの機能は、前述の方法の実施例における方法に従って具体的に実現されてもよいことが理解され得る。その具体的な実現プロセスについて、前述の方法の実施例における関係する説明を参照する。詳細はここでは再び説明しない。
【０１７４】
前述から、本発明のいくつかの実現可能な実現方式において、マルチサブフレームのジョイント送信を用いて、サブフレームnにおける少なくとも１つのOFDMシンボルの位置は、サブフレームn+1における下りリンク制御情報内で指示され、それにより、端末は、指示情報に従って対応する動作を実行し、例えば、サブフレームnにおける少なくとも１つの指示されたOFDMシンボル上で受信したデータを破棄し、サブフレームn+kにおいて、サブフレームnにおける部分データ又は全データを再送してもよいことが習得され得る。したがって、端末の正確な受信が確保され、遅延が低減され、低遅延サービスが端末のデータREを先取りする理由で端末の送信の失敗及び遅延の増加が引き起こされるという従来技術の技術的課題が解決される。
【０１７５】
［実施例１］
図１を参照すると、本発明の実施例は、通信システム100を提供する。通信システム100は、基地局110と、端末（端末）120とを含んでもよい。基地局110は、本発明の実施例４による基地局であり、端末は、本発明の実施例５による端末である。
【０１７６】
前述の実施例では、実施例の説明はそれぞれの焦点を有する。実施例において詳細に記載されていない部分については、他の実施例の関係する説明を参照する。
【０１７７】
説明を簡潔にするために、前述の方法の実施例は、一連の動作の組み合わせとして記載されている点に留意すべきである。しかし、本発明に従って、いくつかのステップは他の順序で実行されてもよく、或いは同時に実行されてもよいため、当業者は、本発明が説明した動作の順序に限定されないことを理解すべきである。さらに、当業者はまた、明細書に記載の全ての実施例が例示的な実施例であり、関係する動作及びモジュールが必ずしも本発明に必須であるとは限らないことも認識すべきである。
【０１７８】
便宜上及び簡単な説明の目的で、前述のシステム、装置及びユニットの詳細な動作プロセスについて、前述の方法の実施例における対応するプロセスを参照することが、当業者により明確に理解され得る。詳細はここでは再び説明しない。
【０１７９】
当業者は、実施例における方法のステップの全部又は一部が関係するハードウェアに命令するプログラムにより実現されてもよいことを理解し得る。プログラムは、コンピュータ読み取り可能記憶媒体に記憶されてもよい。記憶媒体は、ROM、RAM、磁気ディスク、光ディスク等を含んでもよい。
【０１８０】
本発明の実施例において提供される下りリンク送信方法、基地局及び端末について、詳細に前述した。本発明の原理及び実現方式は、ここでは具体的な例を使用することにより説明されている。前述の実施例についての説明は、単に本発明の方法及び核心の概念を理解するのを助けるために提供されている。さらに、当業者は、本発明の概念に従って、具体的な実現方式及び適用範囲に関して変更及び変形を行うことができる。したがって、明細書の内容は、本発明への限定として解釈されないものとする。
【図１】
2019502321.tif 000005
【図２】
2019502321.tif 000006
【図３】
2019502321.tif 000007
【図４】
2019502321.tif 000008
【図５】
2019502321.tif 000009
【図６】
2019502321.tif 000010
【図７】
2019502321.tif 000011
【図８】
2019502321.tif 000012
【図９】
2019502321.tif 000013
【図１０】
2019502321.tif 000014
【図１１】
2019502321.tif 000015
【図１２】
2019502321.tif 000016
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
下りリンク送信方法であって、
基地局により、サブフレームn+kにおいて、下りリンク制御情報を端末に送出するステップであり、前記下りリンク制御情報は、指示情報及びハイブリッド自動再送要求（HARQ）プロセス識別情報を含み、前記指示情報は、サブフレームnにおいて前記基地局により前記端末に送出されたデータ内の少なくとも１つの直交周波数分割多重（OFDM）シンボルの位置を示すために使用され、前記下りリンク制御情報内の前記HARQプロセス識別情報は、前記サブフレームnにおけるHARQプロセス識別情報と同じであり、n及びkの双方は自然数であるステップと、
前記基地局により、前記サブフレームn+kにおいて、前記端末に送出され且つ前記少なくとも１つのOFDMシンボル上にあるデータを少なくとも送信するステップであり、前記少なくとも１つのOFDMシンボルは、前記サブフレームnにあり且つ前記指示情報により指示されるステップと、
を含む方法。
【請求項２】
前記基地局により、前記サブフレームn+kにおいて、前記端末に送出され且つ前記少なくとも１つのOFDMシンボル上にあるデータを少なくとも送信するステップは、
前記基地局により、前記サブフレームn+kにおいて、前記サブフレームnにおける全データを前記端末に再送するステップを含む、請求項１に記載の方法。
【請求項３】
前記基地局により、前記サブフレームn+kにおいて、前記端末に送出され且つ前記少なくとも１つのOFDMシンボル上にあるデータを少なくとも送信するステップは、
前記サブフレームn+kにおいて、前記基地局により、前記端末に送出され且つ前記少なくとも１つのOFDMシンボル上にある変調及び符号化されたデータを、少なくとも１つのリソースブロックに追加し、前記データを前記端末に再送するステップを含む、請求項１に記載の方法。
【請求項４】
前記基地局により、前記サブフレームn+kにおいて、前記端末に送出され且つ前記少なくとも１つのOFDMシンボル上にあるデータを少なくとも送信するステップは、
前記サブフレームn+kにおいて、前記基地局により、前記端末に送出され且つ前記少なくとも１つのOFDMシンボル上にある変調及び符号化されたデータを、少なくとも１つのOFDMシンボルに追加し、前記データを前記端末に再送するステップを含む、請求項１に記載の方法。
【請求項５】
前記サブフレームn+kにおける再送に使用される前記OFDMシンボルの位置は、前記指示情報により指示された前記OFDMシンボルの前記位置と同じであるか、或いは
前記サブフレームn+kにおける再送に使用される前記OFDMシンボルの位置は、前記指示情報により指示された前記OFDMシンボルの前記位置と異なり、前記指示情報は、前記サブフレームn+kにおける再送に使用される前記OFDMシンボルの前記位置を示すために更に使用される、請求項４に記載の方法。
【請求項６】
基地局により、サブフレームn+kにおいて、下りリンク制御情報を端末に送出する前に、
前記基地局により、前記サブフレームnにおいて前記端末の少なくとも１つのOFDMシンボルを先取りするステップであり、前記指示情報は、前記少なくとも１つの先取りされたOFDMシンボルの位置を示すために使用されるステップを更に含む、請求項１乃至５のうちいずれか１項に記載の方法。
【請求項７】
下りリンク送信方法であって、
サブフレームn+kにおいて基地局から下りリンク制御情報を受信するステップであり、n及びkの双方は自然数であり、前記下りリンク制御情報は、指示情報及びハイブリッド自動再送要求（HARQ）プロセス識別情報を含み、前記指示情報は、サブフレームnにおける前記基地局から端末へのデータ内の少なくとも１つの直交周波数分割多重（OFDM）シンボルの位置を示すために使用され、前記下りリンク制御情報内の前記HARQプロセス識別情報は、前記サブフレームnにおけるHARQプロセス識別情報と同じであるステップと、
前記端末に送出され且つ前記少なくとも１つのOFDMシンボル上にあるデータを、前記サブフレームn+kにおいて前記基地局から受信するステップであり、前記少なくとも１つのOFDMシンボルは、前記サブフレームnにあり且つ前記指示情報により指示されるステップと、
前記指示情報に従って、前記指示情報により指示された前記少なくとも１つのOFDMシンボル上にあり且つ前記サブフレームnにおいて受信した前記データ内にあるデータを破棄するステップと、
前記サブフレームnにおいて受信した前記データと、前記サブフレームn+kにおいて受信した前記データとに対してジョイント復号化を実行するステップと
を含む方法。
【請求項８】
前記指示情報は、前記サブフレームnにおいて前記基地局により先取りされた前記端末の少なくとも１つのOFDMシンボルの位置を示すために使用される、請求項７に記載の方法。
【請求項９】
前記端末に送出され且つ前記少なくとも１つのOFDMシンボル上にあるデータを、前記サブフレームn+kにおいて前記基地局から受信するステップは、
前記サブフレームn+kにおいて前記基地局により再送された前記サブフレームnにおける全データを受信するステップを含む、請求項７又は８に記載の方法。
【請求項１０】
前記端末に送出され且つ前記少なくとも１つのOFDMシンボル上にあるデータを、前記サブフレームn+kにおいて前記基地局から受信するステップは、
前記端末に送出され且つ前記少なくとも１つのOFDMシンボル上にある、前記サブフレームn+kにおいて少なくとも１つのリソースブロック内で前記基地局により再送された変調及び符号化されたデータを受信するステップを含む、請求項７又は８に記載の方法。
【請求項１１】
前記端末に送出され且つ前記少なくとも１つのOFDMシンボル上にあるデータを、前記サブフレームn+kにおいて前記基地局から受信するステップは、
前記端末に送出され且つ前記少なくとも１つのOFDMシンボル上にある、前記サブフレームn+kにおいて少なくとも１つのOFDMシンボル上で前記基地局により再送された変調及び符号化されたデータを受信するステップを含む、請求項７又は８に記載の方法。
【請求項１２】
前記サブフレームn+kにおける再送に使用される前記OFDMシンボルの位置は、前記指示情報により指示された前記OFDMシンボルの前記位置と同じであるか、或いは
前記サブフレームn+kにおける再送に使用される前記OFDMシンボルの位置は、前記指示情報により指示された前記OFDMシンボルの前記位置と異なり、前記指示情報は、前記サブフレームn+kにおける再送に使用される前記OFDMシンボルの前記位置を示すために更に使用される、請求項１１に記載の方法。
【請求項１３】
前記指示情報は、データ情報を送信するために使用される複数の連続するOFDMシンボルの開始位置を含み、前記複数の連続する先取りされたOFDMシンボルの終了位置又は長さを更に含む、請求項７乃至１２のうちいずれか１項に記載の方法。
【請求項１４】
請求項１乃至６のうちいずれか１項に記載の方法を実現するように構成された基地局。
【請求項１５】
請求項７乃至１３のうちいずれか１項に記載の方法を実現するように構成された装置。
【請求項１６】
実行されたときに、装置に対して請求項１乃至６のうちいずれか１項に記載の方法又は請求項７乃至１３のうちいずれか１項に記載の方法を実現させる命令を含む非一時的なコンピュータ読み取り可能媒体。
【手続補正２】
【補正対象書類名】明細書
【補正対象項目名】００１０
【補正方法】変更
【補正の内容】
【００１０】
本発明の第１の態様によれば、下りリンク送信方法が提供される。方法は以下のステップを含む。基地局は、サブフレームn+kにおいて、指示情報及びハイブリッド自動再送要求（HARQ）プロセス識別情報を含む下りリンク制御情報を端末に送出してもよい。指示情報は、サブフレームnにおいて基地局により端末に送出されたデータ情報内の少なくとも１つの直交周波数分割多重（英文フルネーム：Orthogonal  Frequency  Division  Multiplexing,  略称：OFDM）シンボルの位置を示すために使用される。下りリンク制御情報内のHARQプロセス識別情報は、サブフレームnにおけるHARQプロセス識別情報と同じである。n及びkの双方は自然数であり、任意選択で、kは8より大きくない自然数である。指示情報は、端末により対応する動作を実行するため、例えば、指示情報により指示された少なくとも１つのOFDMシンボル上にあり且つサブフレームnにおいて受信したデータ内にあるデータを破棄するために使用されてもよく、それにより、受信エラーが回避でき、受信性能が改善できる。さらに、基地局は、サブフレームn+kにおいて、サブフレームnにおける部分データ又は全データを端末に再送し、再送されるデータは、端末に送出され且つ指示情報により指示されたサブフレームnにおける少なくとも１つのOFDMシンボル上にあるデータを含み、それにより、端末は、サブフレームn+kにおいて、サブフレームnにおいて受信できないデータを取得してもよい。したがって、端末の正確な受信が確保され、さらに、再送遅延はk個のサブフレームの長さであるため、再送遅延が低減される。さらに、端末は、サブフレームnにおいて受信したデータと、サブフレームn+kにおいて受信したデータとに対してジョイント復号化を実行してもよく、それにより、受信性能を更に改善する。
【手続補正３】
【補正対象書類名】明細書
【補正対象項目名】００２７
【補正方法】変更
【補正の内容】
【００２７】
本発明の第４の態様によれば、端末が提供される。端末は、本発明の第２の態様において記載した下りリンク送信方法に対応し、下りリンク送信方法を実現し、対応する技術的効果を達成するように構成される。端末は、情報受信モジュールと、データ受信モジュールと、データ処理モジュールと、復号化モジュールとを含んでもよい。情報受信モジュールは、サブフレームn+kにおいて基地局により送出され且つ指示情報及びHARQプロセス識別情報を含む下りリンク制御情報を受信してもよい。n及びkの双方は自然数である。指示情報は、サブフレームnにおいて基地局により端末に送出されたデータ内の少なくとも１つの直交周波数分割多重OFDMシンボルの位置を示すために使用される。下りリンク制御情報内のHARQプロセス識別情報は、サブフレームnにおけるHARQプロセス識別情報と同じである。データ処理モジュールは、指示情報に従って対応する動作を実行し、例えば、指示情報により指示された少なくとも１つのOFDMシンボル上にあり且つサブフレームnにおいて受信したデータ内にあるデータを破棄してもよく、それにより、受信エラーが回避でき、受信性能が改善できる。データ受信モジュールは、端末に送出され且つ指示情報により指示されたサブフレームnにおける少なくとも１つのOFDMシンボル上にある、サブフレームn+kにおいて基地局により送信されたデータを受信してもよい。したがって、端末の正確な受信が確保され、さらに、再送遅延はk個のサブフレームの長さであるため、再送遅延が低減される。復号化モジュールは、サブフレームnにおいて受信したデータと、サブフレームn+kにおいて受信したデータとに対してジョイント復号化を実行してもよく、それにより、受信性能を更に改善する。
【手続補正４】
【補正対象書類名】明細書
【補正対象項目名】００４１
【補正方法】変更
【補正の内容】
【００４１】
本発明の第６の態様によれば、端末が提供される。端末は、本発明の第２の態様において記載した下りリンク送信方法に対応し、下りリンク送信方法を実現し、対応する技術的効果を達成するように構成される。端末は、受信機と、プロセッサとを含んでもよい。本発明の第５の態様において記載した基地局に対応して、端末の受信機は、サブフレームn+kにおいて基地局により送出され且つ指示情報及びHARQプロセス識別情報を含む下りリンク制御情報を受信してもよい。n及びkの双方は自然数である。指示情報は、サブフレームnにおいて基地局により端末に送出されたデータ内の少なくとも１つの直交周波数分割多重OFDMシンボルの位置を示すために使用される。下りリンク制御情報内のHARQプロセス識別情報は、サブフレームnにおけるHARQプロセス識別情報と同じである。受信機は、指示情報に従って対応する動作を更に実行し、例えば、指示情報により指示された少なくとも１つのOFDMシンボル上にあり且つサブフレームnにおいて受信したデータ内にあるデータを破棄してもよく、それにより、受信エラーが回避でき、受信性能が改善できる。受信機は、端末に送出され且つ指示情報により指示されたサブフレームnにおける少なくとも１つのOFDMシンボル上にある、サブフレームn+kにおいて基地局により送信されたデータを更に受信してもよい。したがって、端末の正確な受信が確保され、さらに、再送遅延はk個のサブフレームの長さであるため、再送遅延が低減される。プロセッサは、サブフレームnにおいて受信したデータと、サブフレームn+kにおいて受信したデータとに対してジョイント復号化を実行してもよく、それにより、受信性能を更に改善する。
【手続補正５】
【補正対象書類名】明細書
【補正対象項目名】００４７
【補正方法】変更
【補正の内容】
【００４７】
当業者に本発明における解決策をより良く理解してもらうために、以下に、本発明の実施例における添付図面を参照して本発明の実施例における技術的解決策を説明する。明らかに、説明する実施例は、本発明の実施例の全てではなく、単なる一部である。創造的取り組みなしに本発明の実施例に基づいて当業者により得られる全ての他の実施例は、本発明の保護範囲内に入るものとする。
【手続補正６】
【補正対象書類名】明細書
【補正対象項目名】００４９
【補正方法】変更
【補正の内容】
【００４９】
LTEシステムが前述の背景技術の部分における紹介の例として使用されているが、当業者は、本発明がLTEシステムのみならず、グローバル・システム・フォー・モバイル・コミュニケーションズ（Global  System  for  Mobile  Communications,  GSM)、ユニバーサル・モバイル・テレコミュニケーションズ・システム（Universal  Mobile  Telecommunications  System,  UMTS）、符号分割多元接続（Code  Division  Multiple  Access,  CDMA）システム及び新たなネットワークシステムのような他の無線通信システムにも適用可能であることを理解するべきである。以下に、例としてLTEシステムを使用することにより、具体的な実施例について説明する。
【手続補正７】
【補正対象書類名】明細書
【補正対象項目名】００６１
【補正方法】変更
【補正の内容】
【００６１】
HARQプロセスを使用することによりサブフレームnにおいて下りリンクデータを送出した後に、基地局がNACKを受信したときに、基地局は、同じHARQプロセスを使用することによりサブフレームn+8においてデータを再送する。端末は、受信したサブフレームn及びサブフレームn+8に対してジョイント復号化を実行してもよい。これは、HARQ合成と呼ばれる。HARQ合成では、ジョイント復号化は、２つ以上のサブフレームに対して実行されてもよい。
【手続補正８】
【補正対象書類名】明細書
【補正対象項目名】００６５
【補正方法】変更
【補正の内容】
【００６５】
このステップにおいて、基地局は、下りリンク制御情報内の指示情報を使用することにより、サブフレームn+kにおいて指示を端末に与え、サブフレームnにおける少なくとも１つのOFDMシンボルの位置を端末に通知し、それにより、端末は、指示情報に従って対応する動作を実行してもよい。例えば、指示情報により指示された少なくとも１つのOFDMシンボルの位置が、サブフレームnにおいて端末により受信されたデータ内のエラーデータを示す場合、端末は、指示情報に従ってエラーデータを破棄してもよい。
【手続補正９】
【補正対象書類名】明細書
【補正対象項目名】００８０
【補正方法】変更
【補正の内容】
【００８０】
FDD（Frequency  Division  Duplex,  周波数分割複信）HARQについて
１つの方式では、端末は、サブフレームn+4及びサブフレームn+k+4において、サブフレームnについてのフィードバック情報と、サブフレームn+kについてのものとをそれぞれフィードバックする。この方式は、従来のフィードバック方式と同じである。
【手続補正１０】
【補正対象書類名】明細書
【補正対象項目名】００８２
【補正方法】変更
【補正の内容】
【００８２】
TDD（Time  Division  Duplex,  時分割複信）HARQについて
表１に示すように、表１は、TDD設定表であり、合計で7個の設定方式0〜6が表に示されている。フレーム内の10個のサブフレーム0〜9の割り当て状態は、各設定方式において規定されており、Dは下りリンクを示し、Uは上りリンクを示し、Sはスペシャルサブフレームを示す。端末は、Uとして示されたサブフレーム上で上りリンク送信を実行してもよい。
【表１】
2019502321.tif 000017
表２に示すように、表２は、TDD  HARQタイミング関係を示す。TDDでは、複数の下りリンクサブフレームにおいて送出されるPDSCH（Physical  Downlink  Shared  Channel,  物理下りリンク共有チャネル）について、ACK又はNACKは、１つの上りリンクサブフレームにおいて応答される必要があってもよい。端末が下りリンクサブフレームn-qにおいてPDSCH送信を検出した場合、端末は、上りリンクサブフレームnにおいてACK又はNACKをフィードバックし、q∈Qである。異なるTDD設定について、Qは以下の表に示されている。
【表２】
2019502321.tif 000018
前述の表において、「-」は、ACK又はNACKがこのサブフレームにおいてフィードバックされることが許可されないことを示す。設定方式「1」が例として使用される。ACK又はNACKは、サブフレーム2、3、7及び8においてフィードバックされてもよく、フィードバックは、サブフレームn-6又はn-7についてサブフレーム2において与えられてもよい（nはサブフレームnのシーケンス番号を示す）。
【手続補正１１】
【補正対象書類名】明細書
【補正対象項目名】００８８
【補正方法】変更
【補正の内容】
【００８８】
方式１：指示情報は、ビットマップ（bitmap）フォーマットの情報であり、指示情報内の各ビットは、データ情報を送信するために使用される１つのOFDMシンボルに対応し、対応するOFDMシンボルが指示されているか否かを示すために1又は0が使用される。例えば、1は対応するOFDMシンボルが指示されていることを示すために使用され、0は対応するOFDMシンボルが指示されていないことを示すために使用される。
【手続補正１２】
【補正対象書類名】明細書
【補正対象項目名】００９１
【補正方法】変更
【補正の内容】
【００９１】
方式３：方式２と同様に、指示情報は依然としてbitmapフォーマットの情報であるが、指示情報内の各ビットは、データ情報を送信するために使用される２つのOFDMシンボルに対応する。しかし、２つのOFDMシンボルは、サブフレームnにおける２つのタイムスロット（slot）内にあり且つ同じシーケンス番号を有する２つのOFDMシンボルである。換言すると、２つのslot内の先取りされたOFDMシンボルの位置が同じであり、１つのslotのbitmapを示すと考えられてもよい。
【手続補正１３】
【補正対象書類名】明細書
【補正対象項目名】０１１５
【補正方法】変更
【補正の内容】
【０１１５】
図８を参照すると、基地局は、サブフレームnにおいてUE1の下りリンクデータを送信し、低遅延サービスは、サブフレームnにおける第５のOFDMシンボル上で送信される必要がある。低遅延サービスのための遅延要件を確保するために、基地局は、UE1により使用されるRB内で、シンボル5及びシンボル6上のサブキャリアを先取りする。
【手続補正１４】
【補正対象書類名】明細書
【補正対象項目名】０１１７
【補正方法】変更
【補正の内容】
【０１１７】
再送方式２と同様に、この実施例では、基地局は、サブフレームn+1において、全データではなく、サブフレームnにおいて先取りされたOFDMシンボル上のターゲットデータのみを再送する。したがって、サブフレームnにおける変調及び符号化方式と同じものがサブフレームn+1において使用される必要があり、すなわち、ターゲットデータは、サブフレームnにおいて指示情報により指示された少なくとも１つのOFDMシンボル上にマッピングされた変調及び符号化されたデータである。サブフレーム長は1msであるため、前の1ms内のデータが次のサブフレームにおいて少なくとも１つのOFDMシンボル上で送出されると考えられてもよい。さらに、送出されていないデータは、前の1ms内で先取りされたOFDMシンボル上のみで送出され、UEは、依然として1-ms  TTIに従ってデータを受信するが、シンボル5及びシンボル6上でのみデータを取得する。
【手続補正１５】
【補正対象書類名】明細書
【補正対象項目名】０１２６
【補正方法】変更
【補正の内容】
【０１２６】
いくつかの実施例では、送信モジュール902は、サブフレームn+kにおいて、サブフレームnにおける全データを端末に再送するように具体的に構成される。
【手続補正１６】
【補正対象書類名】明細書
【補正対象項目名】０１３１
【補正方法】変更
【補正の内容】
【０１３１】
いくつかの実施例では、指示情報は、bitmapフォーマットの情報であり、
指示情報内の各ビットは、データを送信するために使用される１つのOFDMシンボルに対応し、対応するOFDMシンボルが指示されているか否かを示すために1又は0が使用されるか、或いは
指示情報内の各ビットは、データを送信するために使用されるOFDMシンボルの１つのグループに対応し、OFDMシンボルの対応するグループが指示されているか否かを示すために1又は0が使用され、OFDMシンボルのグループは、少なくとも２つの連続するOFDMシンボルを含むか、或いは
指示情報内の各ビットは、データを送信するために使用される２つのOFDMシンボルに対応し、２つの対応するOFDMシンボルが指示されているか否かを示すために1又は0が使用され、２つのOFDMシンボルは、サブフレームnにおける２つのタイムスロット内にあり且つ同じシーケンス番号を有する２つのOFDMシンボルである。
【手続補正１７】
【補正対象書類名】明細書
【補正対象項目名】０１４９
【補正方法】変更
【補正の内容】
【０１４９】
本発明のこの実施例における端末の機能モジュールの機能は、前述の方法の実施例における方法に従って具体的に実現されてもよいことが理解され得る。その具体的な実現プロセスについて、前述の方法の実施例における関係する説明を参照する。詳細はここでは再び説明しない。
【手続補正１８】
【補正対象書類名】明細書
【補正対象項目名】０１５７
【補正方法】変更
【補正の内容】
【０１５７】
いくつかの実施例では、指示情報は、bitmapフォーマットの情報であり、
指示情報内の各ビットは、データ情報を送信するために使用される１つのOFDMシンボルに対応し、対応するOFDMシンボルが指示されているか否かを示すために1又は0が使用されるか、或いは
指示情報内の各ビットは、データ情報を送信するために使用されるOFDMシンボルの１つのグループに対応し、OFDMシンボルの対応するグループが指示されているか否かを示すために1又は0が使用され、OFDMシンボルのグループは、少なくとも２つの連続するOFDMシンボルを含むか、或いは
指示情報内の各ビットは、データ情報を送信するために使用される２つのOFDMシンボルに対応し、２つの対応するOFDMシンボルが指示されているか否かを示すために1又は0が使用され、２つのOFDMシンボルは、サブフレームnにおける２つのタイムスロット内にあり且つ同じシーケンス番号を有する２つのOFDMシンボルである。
【手続補正１９】
【補正対象書類名】明細書
【補正対象項目名】０１７１
【補正方法】変更
【補正の内容】
【０１７１】
いくつかの実施例では、指示情報は、bitmapフォーマットの情報であり、
指示情報内の各ビットは、データ情報を送信するために使用される１つのOFDMシンボルに対応し、対応するOFDMシンボルが指示されているか否かを示すために1又は0が使用されるか、或いは
指示情報内の各ビットは、データ情報を送信するために使用されるOFDMシンボルの１つのグループに対応し、OFDMシンボルの対応するグループが指示されているか否かを示すために1又は0が使用され、OFDMシンボルのグループは、少なくとも２つの連続するOFDMシンボルを含むか、或いは
指示情報内の各ビットは、データ情報を送信するために使用される２つのOFDMシンボルに対応し、２つの対応するOFDMシンボルが指示されているか否かを示すために1又は0が使用され、２つのOFDMシンボルは、サブフレームnにおける２つのタイムスロット内にあり且つ同じシーケンス番号を有する２つのOFDMシンボルである。
【手続補正２０】
【補正対象書類名】明細書
【補正対象項目名】０１７３
【補正方法】変更
【補正の内容】
【０１７３】
本発明のこの実施例における端末のモジュールの機能は、前述の方法の実施例における方法に従って具体的に実現されてもよいことが理解され得る。その具体的な実現プロセスについて、前述の方法の実施例における関係する説明を参照する。詳細はここでは再び説明しない。
【国際調査報告】
2019502321.tif 000019
2019502321.tif 000020
2019502321.tif 000021
2019502321.tif 000022